(57)【要約】  本出願は、無線通信ネットワークにおけるユーザ機器（ＵＥ）と第２のネットワークノードとの間のアップリンク（ＵＬ）送信の管理に関するものである。第２のネットワークノードは、新無線（ＮＲ）ＵＬキャリアおよび補助ＵＬ（ＳＵＬ）キャリアであり得る第１のＵＬキャリアおよび第２のＵＬキャリアを含むターゲットセルにサーブする。ＵＥは、当初は第１のネットワークノードによってサーブされ、第１のネットワークノードからメッセージを受信する（３０１）。メッセージは、ＵＥのターゲットセルへのハンドオーバに関するものである。メッセージは、ターゲットセルの１つまたは複数のＵＬキャリアを指示する指示を含む。次いで、ＵＥは、第１のＵＬキャリアおよび第２のＵＬキャリアから、指示された１つまたは複数のＵＬキャリアに対応する１つまたは複数を決定する（３０２）。決定された１つまたは複数のＵＬキャリアは、ターゲットセルにおけるランダムアクセスのためのものである。ランダムアクセスが、決定された１つまたは複数のＵＬキャリアとしての第１のＵＬキャリアまたは第２のＵＬキャリアのうち一方において開始されて失敗したときには、ランダムアクセスは、第２のＵＬキャリアまたは第１のＵＬキャリアのうちの他方において開始される。【選択図】図３
2021503217.tif 000002
【特許請求の範囲】
【請求項１】
無線通信ネットワーク（１００）においてユーザ機器（ＵＥ）（１２５）と第２のネットワークノード（１１２）との間のアップリンク（ＵＬ）送信を管理するために前記ＵＥ（１２５）によって遂行される方法であって、前記第２のネットワークノード（１１２）が、第１のＵＬキャリアおよび第２のＵＬキャリアを含むターゲットセル（１２）にサーブする、方法において、
第１のネットワークノード（１１０）からメッセージを受信すること（３０１）であって、前記メッセージが、前記ターゲットセル（１２）への前記ＵＥ（１２５）のハンドオーバに関するものであり、前記メッセージが、前記ターゲットセル（１２）の１つまたは複数のＵＬキャリアを指示する指示を含む、メッセージを受信すること（３０１）と、
前記第１のＵＬキャリアおよび前記第２のＵＬキャリアから、前記ターゲットセル（１２）におけるランダムアクセスのための、前記指示された１つまたは複数のＵＬキャリアに対応する１つまたは複数を決定すること（３０２）とを含む方法。
【請求項２】
前記指示が明示的または暗示的に指示される、請求項１に記載の方法。
【請求項３】
前記第１のキャリアが新無線（ＮＲ）ＵＬキャリアであり、前記第２のＵＬキャリアが補助ＵＬ（ＳＵＬ）キャリアである、請求項１または２に記載の方法。
【請求項４】
前記指示が、前記ターゲットセル（１２）における前記１つまたは複数のＵＬキャリアのキャリアインデックスおよびキャリアタイプのいずれかを指示する、請求項１から３のいずれか一項に記載の方法。
【請求項５】
前記指示が、前記第１のＵＬキャリアと前記第２のＵＬキャリアの両方に適用可能な１つまたは２つのランダムアクセス設定を含み、前記メッセージが、前記第１のＵＬキャリアに関する前記ランダムアクセス設定を使用するべきときと、前記第２のＵＬキャリアに関する前記ランダムアクセス設定を使用するべきときとのルールの指示をさらに含む、請求項１から３のいずれか一項に記載の方法。
【請求項６】
前記ターゲットセル（１２）において、前記決定された１つまたは複数のＵＬキャリア上でのランダムアクセスを開始すること（３０３）をさらに含む、請求項１から５のいずれか一項に記載の方法。
【請求項７】
前記ターゲットセル（１２）において、前記決定された１つまたは複数のＵＬキャリア上での前記ランダムアクセスが失敗したとき、
前記第１のＵＬキャリアが、前記失敗したランダムアクセスにおいて使用された、前記決定された１つまたは複数のＵＬキャリアであるときには、前記第２のＵＬキャリア上でランダムアクセスを開始すること（３０４）と、
前記第２のＵＬキャリアが、前記失敗したランダムアクセスにおいて使用された、前記決定された１つまたは複数のＵＬキャリアであるときには、前記第１のＵＬキャリア上でランダムアクセスを開始すること（３０４）とのいずれかについてのランダムアクセスを開始すること（３０４）をさらに含む、請求項６に記載の方法。
【請求項８】
プロセッサ（５４０）によって実行されたとき、前記プロセッサ（５４０）に、請求項１から７のいずれか一項に記載のアクションを遂行させる命令を含むコンピュータプログラム（５６０）。
【請求項９】
請求項８に記載のコンピュータプログラム（５６０）を含むキャリア（５７０）であって、電子信号、光信号、電磁気信号、磁気信号、電気信号、無線信号、マイクロ波信号、またはコンピュータ可読記憶媒体のうちの１つであるキャリア（５７０）。
【請求項１０】
無線通信ネットワーク（１００）において、ＵＥ（１２５）と第２のネットワークノード（１１２）との間のアップリンク（ＵＬ）送信を管理するために第１のネットワークノード（１１１）によって遂行される方法であって、前記第２のネットワークノード（１１２）が、第１のＵＬキャリアおよび第２のＵＬキャリアを含むターゲットセル（１２）にサーブする、方法において、
前記ＵＥ（１２５）にメッセージを送ること（４０２）であって、前記メッセージが、前記ＵＥ（１２５）の前記ターゲットセル（１２）へのハンドオーバに関するものであって、前記ターゲットセル（１２）においてランダムアクセスのために使用される、前記ターゲットセル（１２）の１つまたは複数のＵＬキャリアを指示する指示を含み、前記指示された１つまたは複数のＵＬキャリアが、前記第１のＵＬキャリアおよび前記第２のＵＬキャリアからの１つまたは複数に対応する、メッセージを送ること（４０２）を含む方法。
【請求項１１】
前記指示が明示的または暗示的に指示される、請求項１０に記載の方法。
【請求項１２】
前記第１のキャリアが新無線（ＮＲ）ＵＬキャリアであり、前記第２のＵＬキャリアが補助ＵＬ（ＳＵＬ）キャリアである、請求項１０または１１に記載の方法。
【請求項１３】
前記指示が、前記ターゲットセル（１２）における前記１つまたは複数のＵＬキャリアのキャリアインデックスおよびキャリアタイプのいずれかを指示する、請求項１０から１２のいずれか一項に記載の方法。
【請求項１４】
前記指示が、前記第１のＵＬキャリアと前記第２のＵＬキャリアの両方に適用可能な１つまたは２つのランダムアクセス設定を含み、前記メッセージが、前記第１のＵＬキャリアに関する前記ランダムアクセス設定を使用するべきときと、前記第２のＵＬキャリアに関する前記ランダムアクセス設定を使用するべきときとのルールの指示をさらに含む、請求項１０から１２のいずれか一項に記載の方法。
【請求項１５】
プロセッサ（５４０）によって実行されたとき、前記プロセッサ（５４０）に、請求項１０から１４のいずれか一項に記載のアクションを遂行させる命令を含むコンピュータプログラム（５６０）。
【請求項１６】
請求項１５に記載のコンピュータプログラム（５６０）を含むキャリア（５７０）であって、電子信号、光信号、電磁気信号、磁気信号、電気信号、無線信号、マイクロ波信号、またはコンピュータ可読記憶媒体のうちの１つであるキャリア（５７０）。
【請求項１７】
無線通信ネットワーク（１００）においてユーザ機器（ＵＥ）（１２５）と第２のネットワークノード（１１２）との間のアップリンク（ＵＬ）送信を管理するためのＵＥ（１２５）であって、前記第２のネットワークノード（１１２）が、第１のＵＬキャリアおよび第２のＵＬキャリアを含むターゲットセル（１２）にサーブするように適合されており、前記ＵＥ（１２５）が、
第１のネットワークノード（１１０）から、前記ターゲットセル（１２）の１つまたは複数のＵＬキャリアを指示する指示を含むように適合されたメッセージであって、前記ＵＥ（１２５）の前記ターゲットセル（１２）へのハンドオーバに関するメッセージを受信して、
前記第１のＵＬキャリアおよび前記第２のＵＬキャリアから、前記ターゲットセル（１２）におけるランダムアクセスのために使用されるように適合された、前記指示された１つまたは複数のＵＬキャリアに対応する１つまたは複数を決定するように設定されている、ＵＥ（１２５）。
【請求項１８】
前記指示が明示的または暗示的に指示されるように適合されている、請求項１７に記載のＵＥ（１２５）。
【請求項１９】
前記第１のキャリアが新無線（ＮＲ）ＵＬキャリアであるように適合されており、前記第２のＵＬキャリアが補助ＵＬ（ＳＵＬ）キャリアであるように適合されている、請求項１７または１８に記載のＵＥ（１２５）。
【請求項２０】
前記指示が、前記ターゲットセル（１２）における前記１つまたは複数のＵＬキャリアのキャリアインデックスおよびキャリアタイプのいずれかを指示するように適合されている、請求項１７から１９のいずれか一項に記載のＵＥ（１２５）。
【請求項２１】
前記指示が、前記第１のＵＬキャリアと前記第２のＵＬキャリアの両方に適用可能な１つまたは２つのランダムアクセス設定を含むように適合されており、前記メッセージが、前記第１のＵＬキャリアに関する前記ランダムアクセス設定を使用するべきときと、前記第２のＵＬキャリアに関する前記ランダムアクセス設定を使用するべきときとのルールの指示をさらに含むように適合されている、請求項１７から１９のいずれか一項に記載のＵＥ（１２５）。
【請求項２２】
前記ターゲットセル（１２）において、前記決定された１つまたは複数のＵＬキャリア上でのランダムアクセスを開始するようにさらに設定されている、請求項１７から２１のいずれか一項に記載のＵＥ（１２５）。
【請求項２３】
前記ターゲットセル（１２）において、前記決定された１つまたは複数のＵＬキャリア上での前記ランダムアクセスが失敗したとき、
前記第１のＵＬキャリアが、前記失敗したランダムアクセスにおいて使用された、前記決定された１つまたは複数のＵＬキャリアであるときには、前記第２のＵＬキャリア上でランダムアクセスを開始することと、
前記第２のＵＬキャリアが、前記失敗したランダムアクセスにおいて使用された、前記決定された１つまたは複数のＵＬキャリアであるときには、前記第１のＵＬキャリア上でランダムアクセスを開始することとのいずれかについてのランダムアクセスを開始するようにさらに設定されている、請求項２２に記載のＵＥ（１２５）。
【請求項２４】
無線通信ネットワーク（１００）において、ＵＥ（１２５）と第２のネットワークノード（１１２）との間のアップリンク（ＵＬ）送信を管理するための第１のネットワークノード（１１１）であって、前記第２のネットワークノード（１１２）が、第１のＵＬキャリアおよび第２のＵＬキャリアを含むターゲットセル（１２）にサーブするように適合されており、前記第１のネットワークノード（１１１）が、
前記ＵＥ（１２５）にメッセージを送ることであって、前記メッセージが前記ＵＥ（１２５）の前記ターゲットセル（１２）へのハンドオーバに関するものであり、前記メッセージが、前記ターゲットセル（１２）においてランダムアクセスのために使用される前記ターゲットセル（１２）の１つまたは複数のＵＬキャリアを指示する指示を含むように適合されており、前記指示された１つまたは複数のＵＬキャリアが、前記第１のＵＬキャリアおよび前記第２のＵＬキャリアからの１つまたは複数に対応するように適合されている、メッセージを送ることを行うように設定されている、第１のネットワークノード（１１１）。
【請求項２５】
前記指示が明示的または暗示的に指示されるように適合されている、請求項２４に記載の第１のネットワークノード（１１１）。
【請求項２６】
前記第１のキャリアが新無線（ＮＲ）ＵＬキャリアであるように適合されており、前記第２のＵＬキャリアが補助ＵＬ（ＳＵＬ）キャリアであるように適合されている、請求項２４または２５に記載の第１のネットワークノード（１１１）。
【請求項２７】
前記指示が、前記ターゲットセル（１２）における前記１つまたは複数のＵＬキャリアのキャリアインデックスおよびキャリアタイプのいずれかを指示するように適合されている、請求項２４から２６のいずれか一項に記載の第１のネットワークノード（１１１）。
【請求項２８】
前記指示が、前記第１のＵＬキャリアと前記第２のＵＬキャリアの両方に適用可能な１つまたは２つのランダムアクセス設定を含むように適合されており、前記メッセージが、前記第１のＵＬキャリアに関する前記ランダムアクセス設定を使用するべきときと、前記第２のＵＬキャリアに関する前記ランダムアクセス設定を使用するべきときとのルールの指示を含むようにさらに適合されている、請求項２４から２６のいずれか一項に記載の第１のネットワークノード（１１１）。
【発明の詳細な説明】
【背景技術】
【０００１】
一般的な無線通信ネットワークでは、無線通信デバイス、移動局、局（ＳＴＡ）および／またはユーザ機器（ＵＥ）としても知られている無線デバイスは、Ｗｉ−Ｆｉネットワークまたは無線アクセスネットワーク（ＲＡＮ）などのローカルエリアネットワークを通じて１つまたは複数のコアネットワーク（ＣＮ）と通信する。ＲＡＮがカバーする地理的エリアは、ビームまたはビームグループとも称され得るサービスエリアまたはセルエリアに分割され得、それぞれのサービスエリアまたはセルエリアが、たとえばいくつかのネットワークではたとえばＮｏｄｅＢ、ｅＮｏｄｅＢ（ｅＮＢ）、または５ＧではｇＮＢとも表され得るＷｉ−Ｆｉアクセスポイントもしくは無線基地局（ＲＢＳ）といった無線アクセスノードなどの無線ネットワークノードによってサーブされている。サービスエリアまたはセルエリアは、無線ネットワークノードによって無線カバレッジが提供される地理的エリアである。無線ネットワークノードは、無線ネットワークノードの範囲内の無線デバイスを用いて、無線周波上で動作するエアインターフェースを通じて通信する。
【０００２】
第４世代（４Ｇ）ネットワークとも称されるエボルブドパケットシステム（ＥＰＳ）の規格は第３世代パートナーシッププロジェクト（３ＧＰＰ）の範囲内で完結しており、この業務は、たとえば５Ｇ新無線（ＮＲ）とも呼ばれる第５世代（５Ｇ）ネットワークを規定するために、次の３ＧＰＰのリリースにおいて継続する。ＥＰＳは、Ｌｏｎｇ  Ｔｅｒｍ  Ｅｖｏｌｕｔｉｏｎ（ＬＴＥ）無線アクセスネットワークとしても知られているエボルブドユニバーサル地上波無線アクセスネットワーク（Ｅ−ＵＴＲＡＮ）と、システムアーキテクチャエボリューション（ＳＡＥ）コアネットワークとしても知られているエボルブドパケットコア（ＥＰＣ）とを備える。３ＧＰＰ無線アクセスネットワークの変形形態であるＥ−ＵＴＲＡＮ／ＬＴＥでは、無線ネットワークノードが、３Ｇネットワークにおいて使用されるＲＮＣではなくＥＰＣコアネットワークに直接接続される。一般に、Ｅ−ＵＴＲＡＮ／ＬＴＥでは、３Ｇ  ＲＮＣの機能は、たとえばＬＴＥにおけるｅＮｏｄｅＢといった無線ネットワークノードとコアネットワークとの間に分散している。そのため、ＥＰＳのＲＡＮは、１つまたは複数のコアネットワークに直接接続された無線ネットワークノードを備える基本的に「フラットな」アーキテクチャを有し、すなわちＲＮＣには接続されない。これを補償するために、Ｅ−ＵＴＲＡＮ規格は、Ｘ２インターフェースと表されている、無線ネットワークノード間の直接インターフェースを規定する。
【０００３】
マルチアンテナ技術は、無線通信システムのデータレートおよび信頼性を大幅に向上することができる。送信器と受信器の両方が、多入力多出力（ＭＩＭＯ）通信チャネルをもたらす複数のアンテナを装備していれば、性能が特に改善される。そのようなシステムおよび／または関連技術は、一般にＭＩＭＯと称される。
【０００４】
５Ｇ計画は、より高速のピークインターネット接続速度に加えて、現行の４Ｇよりも大きい容量で、エリアユニットごとにより多数のモバイルブロードバンドユーザを許容し、ユーザごとに、１か月当たりユーザごとのギガバイト単位で、より大きいかまたは無制限のデータ量の消費を可能にすることを目指すものである。これによって、Ｗｉ−Ｆｉホットスポットの届かない距離にいる人々の大部分が、自分のモバイルデバイスで、高精細度メディアに１日当たり長時間ストリーミングすることが可能になるはずである。５Ｇの研究開発は、４Ｇ機器よりも低コスト、より少ないバッテリ消費およびより低いレイテンシを目指して、モノのインターネットとしても知られているマシンツーマシン通信のサポートを改善することも目指している。
【０００５】
ＬＴＥランダムアクセス手順は２つの形態を含み、競合ベースのアクセスまたは無競合アクセスのいずれかを可能にする。
ＵＥは競合ベースのランダムアクセス手順を開始する。この手順では、ランダムアクセスプリアンブル署名はＵＥによってランダムに選択されるので、２つ以上のＵＥが同一の署名を同時に送信することが可能になり、後の競合解決プロセスが必要になる。
ＲＲＣ＿ＣＯＮＮＥＣＴＥＤ状態にあるもののアップリンク同期しておらず、受信する必要があるＵＥおよびＲＲＣ＿ＣＯＮＮＥＣＴＥＤ状態のまま、現在サーブしているセルからターゲットセルにハンドオーバするＵＥを使用する場合には、ｅＮｏｄｅＢは、ＵＥに専用の署名を割り当てることによって起こる競合を防止する選択肢を有し、無競合アクセスをもたらす。これによって、ＵＥは、ＲＡＣＨアクセスを開始している他のＵＥとＰＲＡＣＨリソースを争う必要がなくなるで、ハンドオーバの成功確率が改善される。無競合アクセスに関する別の利益には、競合ベースのアクセスよりも高速であるということがあり、タイムクリティカルなハンドオーバの場合には特に重要な要素である。
【０００６】
補助アップリンク（ＳＵＬ）キャリア
２Ｇ、３Ｇおよび４Ｇの無線通信システムに対して低いキャリア周波数帯域が既に配備されているので、ＮＲは比較的より高い周波数に配備されるはずである。無線通信に関しては、伝搬損失はキャリア周波数の２乗にほぼ比例することになる。そのゆえに、高いキャリア周波数に関する無線通信のカバレッジ問題があり得る。ダウンリンクについては、ｇＮＢが、送信電力密度を増強するための強力なアンテナシステムおよび強力な増幅器を装備し得、よってＤＬカバレッジが増強され得る。しかしながら、ＵＬについては、送信電力、アンテナサイズおよびコストなどいくつかの制限がある。そのゆえには、高周波におけるＮＲセルについては、ＵＬとＤＬとの間に不整合の可能性がある。
これを解決するために、ＮＲは、ＮＲセルのための補助アップリンク（ＳＵＬ）キャリアを導入しており、すなわち、ＮＲセルはＮＲ  ＵＬキャリアに加えてＳＵＬキャリアを有する。ＳＵＬキャリアは、たとえば時間領域および／または周波数領域においてＬＴＥなど他の無線アクセス技術（ＲＡＴ）システムと共有され得る低周波数キャリアであると想定される。相対的に高い周波帯域に配備されるＮＲセルのアップリンクカバレッジを改善するためにＳＵＬキャリアが導入される。ＳＵＬキャリアは、たとえばＬＴＥ帯域といった低周波数領域に配備される。このようにして、ＮＲ帯域のアップリンクカバレッジはＬＴＥのアップリンクカバレッジに匹敵し得る。図１は、ＮＲセルにおける、ＮＲ  ＵＬキャリアおよびＳＵＬキャリアのカバレッジを示す。図１は、対のキャリアのＮＲ周波数の組合せとＵＬのみに関するＳＵＬを表現するものである。
【発明の概要】
【０００７】
本明細書の開発中の実施形態の一部分として、最初にビットマップ解決策の問題が識別されて論じられる。
【０００８】
ＮＲセルに関する２つのアップリンク（ＵＬ）キャリアがあり得るので、ランダムアクセスは、ＮＲ  ＵＬキャリアまたはＳＵＬキャリアのいずれかで開始されてよい。ＵＥは、ランダムアクセスのためのキャリアを閾値に基づいて選択し得ることが合意されている。ＵＥは、閾値を基に、ｇＮＢなどのネットワークノードが近くにあると判定した場合には、ＮＲ  ＵＬキャリア上でランダムアクセス手順を終了するための無線条件が十分に優れているので、ランダムアクセス用にＮＲ  ＵＬキャリアを選択する。そうでなければ、ＵＥは、ランダムアクセス手順を終了するためにＳＵＬキャリアを選択する。そのようなやり方で、ＮＲセルにおける２つのＵＬキャリア間でランダムアクセス負荷がオフロードされ得る。
【０００９】
ＲＡＮ１＃９０において、ＳＵＬキャリアに関するＲＡＣＨアクセスについて、いくつかのことが合意され、以下のように明らかにされている。
●ＳＵＬキャリアに関するＲＡＣＨ設定に基づくＮＲ  ＵＥの初期のアクセスに関して、
○ＳＵＬキャリアに関するＲＡＣＨ設定はＲＭＳＩでブロードキャストされる。
○ＳＵＬキャリアに関する設定情報は、ＵＥが同ＳＵＬキャリアのみでＲＡＣＨ手順を完成するのに十分なものである。
●詳細には、設定情報はすべての必要電力制御パラメータを含む。
○ＳＵＬキャリアに関する設定情報は閾値を含む。ＵＥがＲＭＳＩを受信するＤＬキャリア上でＵＥによって測定されたＲＳＲＰが閾値よりも低い場合に限って、ＵＥは初期のアクセス用にこのＳＵＬキャリアを選択する。
○ＵＥがＳＵＬキャリア上でＲＡＣＨ手順を開始する場合には、ＲＡＣＨ手順は、このキャリア上で行われるすべてのアップリンク送信とともに完結される。
●ネットワークは、接続モードＵＥに対して、経路損失およびタイミングアドバンスを収集するためにあらゆるアップリンクキャリアに向けてＲＡＣＨ手順を開始することを要求できるものと予定されている。
●上記の合意に同意するＬＳをＲＡＮ２に送った。
【００１０】
上記の合意によれば、ＵＥは、ＤＬキャリア上で測定された参照信号受信電力（ＲＳＲＰ）が所与の閾値よりも低いとき、これはＵＥが多分アップリンクＮＲキャリアカバレッジの境界に到達することを意味するが、このときに限って、ＳＵＬキャリア上で初期のアクセスを遂行する。
【００１１】
ＮＲでは、事前に設定された閾値と比較した、ランダムな移動加入者アイデンティティ（ＲＭＳＩ）が送信された領域において測定されたＤＬ  ＲＳＲＰに合致する初期のアクセスを遂行するために、アイドル状態のＵＥはＳＵＬキャリアを選択し得ることが合意されている。ＵＥが、ＵＬカバレッジ拡張のための少なくとも１つのＳＵＬキャリアおよびＮＲ  ＵＬキャリアを含む新規のサービングセルにハンドオーバするとき、ＲＡＣＨアクセスを遂行するやり方は決定されていない。しかしながら、ＵＥがターゲットセルのＲＭＳＩ／ＳＩＢ１を読み取ることができない可能性があるため、アイドル状態のＵＥに関する前述の合意は、この事例に適合しない。そこで、ＵＥは、ＳＵＬキャリアまたは通常のＮＲキャリアのいずれかにおいてＲＡＣＨアクセスを遂行するという、２つの選択肢を有することになる。これらの懸案問題に対処するためには、基準および対応する手順が規定されなければならない。
【００１２】
本明細書の実施形態の目的は、無線通信ネットワークにおけるハンドオーバ手順を改善することである。
【００１３】
一態様によれば、この目的は、無線通信ネットワークにおいてユーザ機器（ＵＥ）と第２のネットワークノードとの間のアップリンク（ＵＬ）送信を管理するためにＵＥによって遂行される方法によって達成される。第２のネットワークノードは、第１のＵＬキャリアおよび第２のＵＬキャリアを含むターゲットセルにサーブする。ＵＥは第１のネットワークノードからメッセージを受信する。メッセージは、ＵＥのターゲットセルへのハンドオーバに関するものである。メッセージは、ターゲットセルの１つまたは複数のＵＬキャリアを指示する指示を含む。次いで、ＵＥは、第１のＵＬキャリアおよび第２のＵＬキャリアから、指示された１つまたは複数のＵＬキャリアに対応する１つまたは複数を決定する。決定された１つまたは複数のＵＬキャリアは、ターゲットセルにおけるランダムアクセスのためのものである。
【００１４】
別の態様によれば、この目的は、無線通信ネットワークにおいてＵＥと第２のネットワークノードとの間のアップリンク（ＵＬ）送信を管理するために第１のネットワークノードによって遂行される方法によって達成される。第２のネットワークノードは、第１のＵＬキャリアおよび第２のＵＬキャリアを含むターゲットセルにサーブし、この方法は、第１のネットワークがＵＥにメッセージを送ることを含む。メッセージは、ＵＥのターゲットセルへのハンドオーバに関するものである。メッセージは、ターゲットセルにおいてランダムアクセスのために使用される、ターゲットセルの１つまたは複数のＵＬキャリアを指示する指示を含む。指示された１つまたは複数のＵＬキャリアは、第１のＵＬキャリアおよび第２のＵＬキャリアからの１つまたは複数に対応する。
【００１５】
さらなる態様によれば、この目的は、無線通信ネットワークにおいて、ユーザ機器（ＵＥ）と第２のネットワークノードとの間のアップリンク（ＵＬ）送信を管理するために、ＵＥによって達成される。第２のネットワークノードは、第１のＵＬキャリアおよび第２のＵＬキャリアを含むターゲットセルにサーブするように適合されている。ＵＥは、
−  第１のネットワークノードから、ターゲットセルの１つまたは複数のＵＬキャリアを指示する指示を含むように適合された、ＵＥのターゲットセルへのハンドオーバに関するメッセージを受信して、
−  第１のＵＬキャリアおよび第２のＵＬキャリアから、ターゲットセルにおけるランダムアクセスのために使用されるように適合された、指示された１つまたは複数のＵＬキャリアに対応する１つまたは複数を決定するように設定されている。
【００１６】
さらなる態様によれば、この目的は、無線通信ネットワークにおいて、ＵＥと第２のネットワークノードとの間のアップリンク（ＵＬ）送信を管理するために、第１のネットワークノードによって達成される。第２のネットワークノードは、第１のＵＬキャリアおよび第２のＵＬキャリアを含むターゲットセルにサーブするように適合されている。第１のネットワークノードは、ＵＥにメッセージを送るように設定されており、メッセージはＵＥのターゲットセルへのハンドオーバに関するものであり、メッセージは、ターゲットセルにおいてランダムアクセスのために使用される、ターゲットセルの１つまたは複数のＵＬキャリアを指示する指示を含むように適合されている。指示された１つまたは複数のＵＬキャリアは、第１のＵＬキャリアおよび第２のＵＬキャリアからの１つまたは複数に対応するように適合されている。
【００１７】
本明細書の実施形態には、ＵＥに、ハンドオーバコマンドを受信しながらターゲットセルにおける正確なキャリア選択を遂行するための効率的な手段またはガイドラインを提供するという利点がある。これは、データ転送に関するレイテンシ低減に役立つ。サービングセル変更後の無用のキャリア切換えが回避されるので、シグナリングの過負荷も軽減される。
【図面の簡単な説明】
【００１８】
【図１】従来技術を図示する概略ブロック図である。
【図２】無線通信ネットワークの実施形態を図示する概略ブロック図である。
【図３】ユーザ機器における方法の実施形態を表現する流れ図である。
【図４】ネットワークノードにおける方法の実施形態を表現する流れ図である。
【図５】ユーザ機器の実施形態を図示する概略ブロック図である。
【図６】ネットワークノードの実施形態を図示する概略ブロック図である。
【図７】中間ネットワークを介してホストコンピュータに接続された電気通信ネットワークの概略図である。
【図８】部分的無線接続によって、基地局を通じてユーザ機器と通信するホストコンピュータの一般化されたブロック図である。
【図９】ホストコンピュータ、基地局およびユーザ機器を含む通信システムにおいて実施される方法の流れ図である。
【図１０】ホストコンピュータ、基地局およびユーザ機器を含む通信システムにおいて実施される方法の流れ図である。
【図１１】ホストコンピュータ、基地局およびユーザ機器を含む通信システムにおいて実施される方法の流れ図である。
【図１２】ホストコンピュータ、基地局およびユーザ機器を含む通信システムにおいて実施される方法の流れ図である。
【発明を実施するための形態】
【００１９】
本明細書の実施形態のさらなる目的は、選択されたターゲットセルがたとえばＮＲ  ＵＬキャリアといった第１のＵＬキャリアおよびたとえばＳＵＬキャリアといった第２のＵＬキャリアなど複数のＵＬキャリアを含むＮＲセルであるとき、ハンドオーバ手順を改善することである。
本明細書のいくつかの例示の実施形態によれば、選択されたターゲットセルがＮＲキャリアおよびＳＵＬキャリアを含むＮＲセルであるとき、ハンドオーバコマンドおよび手順は、ターゲットセルとの無線接続をセットアップするためのランダムアクセスを開始するときのＵＬキャリア選択を考慮に入れるようにさらに拡張される。
本明細書の実施形態は、複数のキャリアを含む無線通信ネットワークにおいて、いくつかの実施形態などにおける改善された性能を有する、ＳＵＬキャリアを用いるＮＲセルへのハンドオーバを設定するための方法を提供するものである。
本明細書のいくつかの実施形態は、ハンドオーバ手順中に、ターゲットセルにおけるＲＡＣＨアクセスのためのキャリアを明示的または暗示的に指示するための、ＲＲＣシグナリングメッセージの変更を提供するものである。
【００２０】
本明細書の実施形態は、一般に無線通信ネットワークに関するものである。図２は無線通信ネットワーク１００を表現する概略図である。無線通信ネットワーク１００は１つまたは複数のＲＡＮおよび１つまたは複数のＣＮを含む。無線通信ネットワーク１００はＮＲを使用してよいが、少し例を挙げるだけでも、５Ｇ、ＮＢ−ＩｏＴ、ＣＡＴ−Ｍ、Ｗｉ−Ｆｉ、ｅＭＴＣ、Ｌｏｎｇ  Ｔｅｒｍ  Ｅｖｏｌｕｔｉｏｎ（ＬＴＥ）、ＬＴＥ−Ａｄｖａｎｃｅｄ広帯域符号分割多元接続（ＷＣＤＭＡ）、汎欧州デジタル移動電話方式／ＧＳＭエボリューション用拡張データレート（ＧＳＭ／ＥＤＧＥ）、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭａｘ）、またはウルトラモバイルブロードバンド（ＵＭＢ）など、複数の他の異なる技術をさらに使用し得る。
【００２１】
第１のネットワークノード１１１とも称されるネットワークノード１１１など、無線通信ネットワーク１００において動作するネットワークノードは、地理的エリア（セル１１）にわたる無線カバレッジを提供し、第２のネットワークノード１１２とも称されるネットワークノード１１２は、地理的エリア（セル１２）にわたる無線カバレッジを提供する。いくつかの実施形態では、ネットワークノード１１１はセル１１とセル１２の両方を提供する。セル１１およびセル１２は、サービスエリア、ビームもしくはグループのビーム、複数のＴＲＰ、または複数のＢＷＰとも称され得る。セル１２は、複数のビーム、複数のＴＲＰ、または複数のＢＷＰなど複数のＵＬキャリアを用いて設定される。セル１２は、たとえばＳＵＬキャリアとＮＲ  ＵＬキャリアの両方を用いて設定されたＮＲセルでよい。セル１２は少なくとも第１のＵＬキャリア１２１および第２のＵＬキャリア１２２を含み、第１のキャリアはＮＲ  ＵＬキャリアでよく、第２のＵＬキャリアはＳＵＬキャリアでよい。ＳＵＬキャリアはＮＲ  ＵＬキャリアに関連づけられてよく、すなわち、ＮＲ  ＵＬキャリアは、ＳＵＬキャリアが拡張されたＵＬカバレッジをもたらすキャリアであり得る。セル１１はソースセル１１と称され得、セル１２はターゲットセル１２と称され得る。
【００２２】
ネットワークノード１１１、１１２は、たとえば基地局などの無線アクセスネットワークノード、たとえばＮｏｄｅＢ、エボルブドノードＢ（ｅＮＢ、ｅＮｏｄｅ  Ｂ）、ＮＲノードＢ（ｇＮＢ）、ベーストランシーバ局、無線遠隔ユニット、アクセスポイント基地局、基地局ルータ、無線基地局の伝送配置、スタンドアロンのアクセスポイント、無線ローカルエリアネットワーク（ＷＬＡＮ）アクセスポイント、またはアクセスポイントステーション（ＡＰ  ＳＴＡ）、アクセスコントローラなどの無線基地局といった送信および受信のポイント、あるいは、たとえば使用される無線アクセス技術および技術用語に依拠して、与えられたセル１１、１２の範囲内のＵＥと通信することができる何らかの他のネットワークユニットでよい。ネットワークノード１１１および１１２は、ＵＥ１２５へのダウンリンク（ＤＬ）送信およびＵＥ１２５からのアップリンク（ＵＬ）送信と通信し得る。
【００２３】
たとえばＵＥ１２５などの無線デバイスは、無線通信ネットワーク１００において動作する。ＵＥ１２５は、たとえば、ＮＲデバイス、移動局、無線端末、ＮＢ−ＩｏＴデバイス、ｅＭＴＣデバイス、ＣＡＴ−Ｍデバイス、Ｗｉ−Ｆｉデバイス、ＬＴＥデバイス、および非アクセスポイント（非ＡＰ）ＳＴＡ、ＳＴＡなどであり得、たとえばネットワークノード１１１、たとえばＲＡＮといった１つまたは複数のアクセスネットワーク（ＡＮ）などの基地局を介して、１つまたは複数のコアネットワーク（ＣＮ）と通信する。「ＵＥ」は、任意の端末、無線通信端末、ユーザ機器、デバイスツーデバイス（Ｄ２Ｄ）端末、またはたとえばスマートフォン、ラップトップコンピュータ、携帯電話、センサ、中継器、モバイルタブレット、さらにはセルの内部で通信する小さな基地局といったノードを意味する非限定的な用語であることが当業者には理解されるはずである。
例示のシナリオによれば、セル１１においてサーブされているＵＥ１２５は、ターゲットセル１２に向かって移動し、したがって、ソースセル１１からターゲットセル１２へのハンドオーバを遂行する必要がある。ここにおいて、ターゲットセル１２は少なくとも第１のＵＬキャリア１２１および第２のＵＬキャリア１２２を含み、第１のキャリアはＮＲ  ＵＬキャリアでよく、第２のＵＬキャリアはＳＵＬキャリアでよい。
【００２４】
本明細書の実施形態による方法は、ネットワークノード１１１によって遂行され得る。代替形態として、たとえば図２に示されるようなクラウド１４０に含まれる分散形ノード（ＤＮ）と機能性とが、この方法を遂行するかまたは部分的に遂行するために使用され得る。
【００２５】
次に、無線通信ネットワーク１００において、ＵＥ１２５と第２のネットワークノード１１２との間のたとえばランダムアクセス送信などのアップリンク（ＵＬ）送信を、たとえば管理するためおよび／または扱うために、ＵＥ１２５によって遂行される方法の例示的実施形態を、図３に表現された流れ図を参照しながら説明する。第２のネットワークノード１１２は、第１のＵＬキャリアおよび第２のＵＬキャリアを含むターゲットセル１２にサーブする。いくつかの実施形態では、第１のキャリアは任意のＮＲ  ＵＬキャリアでよく、第２のＵＬキャリア１１２はＳＵＬキャリアでよい。
いくつかの関連した第１、第２、第３、第４、第５および第６の実施形態が、この文献において後に説明される。
この方法は、任意の適切な順番で採用され得る以下アクションのうちの１つまたは複数を含み得る。
【００２６】
つまり、この方法は以下のアクションのうちの１つまたは複数を含む。
アクション３０１において、ＵＥ１２５は、第１のネットワークノード１１１から、たとえば無線リソース制御（ＲＲＣ）シグナリングメッセージなどのメッセージを受信する。メッセージは、たとえばソースセル１１からターゲットセル１２へのＵＥ１２５のハンドオーバに関するものである。メッセージは、ターゲットセル１２の１つまたは複数のＵＬキャリアを指示する指示を含む。
アクション３０２において、ＵＥ１２５は、第１のＵＬキャリアおよび第２のＵＬキャリアから、ターゲットセル１２におけるランダムアクセスのための、指示された１つまたは複数のＵＬキャリアに対応する１つまたは複数を決定する。
アクション３０３において、ＵＥ１２５は、ターゲットセル１２における決定された１つまたは複数のＵＬキャリア上でのランダムアクセスを開始し得る。
アクション３０４において、ターゲットセル１２において決定された１つまたは複数のＵＬキャリア上でＲＡＣＨアクセスなどのランダムアクセスが失敗したとき、ＵＥ１２５は、第１のＵＬキャリアが、失敗したランダムアクセスにおいて使用された、決定された１つまたは複数のＵＬキャリアであるときには、第２のＵＬキャリア上でランダムアクセスを開始すること（３０４ａ）と、第２のＵＬキャリアが、失敗したランダムアクセスにおいて使用された、決定された１つまたは複数のＵＬキャリアであるときには、第１のＵＬキャリア上でランダムアクセスを開始すること（３０４ｂ）とのいずれかについてランダムアクセスを開始してもよい。
【００２７】
より詳細には、この方法は以下のアクションのうちの１つまたは複数を含む。アクションは、方法のアクションの後の段落において、またさらに説明される。
【００２８】
アクション３０１
例示のシナリオによれば、ＵＥ１２５は、第１のネットワークノード１１１によって与えられたセル１１上でキャンプし、セル１１のエッジに向かって、第２のネットワークノード１１２によって与えられたセル１２の方へ移動する。したがって、セル１１からセル１２へのハンドオーバが必要になる。ＵＥ１２５は第１のネットワークノード１１１からメッセージを受信する。メッセージは、ＵＥ１２５のターゲットセル１２へのハンドオーバに関するものである。メッセージは、ターゲットセル１２の１つまたは複数のＵＬキャリアを指示する指示を含む。メッセージは、たとえば無線リソース制御（ＲＲＣ）シグナリングメッセージでよい。
指示は、明示的と暗示的のいずれかで指示されてよい。言い換えれば、指示は明示的または暗示的に指示され得る。
【００２９】
アクション３０２
例示のシナリオによれば、ＵＥ１２５は、ターゲットセル１２においてランダムアクセスを遂行してよい。しかしながら、ターゲットセル１２は、第１のＵＬキャリアおよび第２のＵＬキャリアといった２つのＵＬキャリアを含む。メッセージの指示により、ＵＥ１２５は、ランダムアクセスを遂行するのは、ターゲットセル１２において供給される、第１のＵＬキャリア上か、第２のＵＬキャリア上か、または両方においてかを決定するのを支援されることになる。前述のように、第１のキャリアはＮＲ  ＵＬキャリアでよく、第２のＵＬキャリアはＳＵＬキャリアでよい。
したがって、ＵＥ１２５は、第１のＵＬキャリアおよび第２のＵＬキャリアから、指示された１つまたは複数のＵＬキャリアに対応する１つまたは複数を決定する。決定された１つまたは複数のＵＬキャリアは、ターゲットセル１２におけるランダムアクセスのためのものである。言い換えれば、ＵＥ１２５は、第１のＵＬキャリアと第２のＵＬキャリアのうち、メッセージで指示された１つまたは複数を決定する。
第１の実施形態によれば、指示は、ターゲットセル１２における１つまたは複数のＵＬキャリアのキャリアインデックスおよびキャリアタイプのいずれかを指示してよい。すなわち、指示は、ターゲットセル１２における１つまたは複数のＵＬキャリアのキャリアインデックスまたはキャリアタイプを指示し得る。
第２の実施形態によれば、指示は、第１のＵＬキャリアと第２のＵＬキャリアの両方に適用可能な１つまたは２つのランダムアクセス設定を含み得る。このメッセージは、第１のＵＬキャリアに関するランダムアクセス設定を使用するべきときと、第２のＵＬキャリアに関するランダムアクセス設定を使用するべきときとのルールの指示をさらに含み得る。
【００３０】
アクション３０３
次いで、ＵＥ１２５は、ターゲットセル１２における決定された１つまたは複数のＵＬキャリア上でのランダムアクセスを開始する。ランダムアクセスはたとえばＲＡＣＨアクセスでよい。
【００３１】
アクション３０４
開始されたランダムアクセスが、たとえば所定の要件を満たし得ないこともある。これは、たとえば、ＵＥ１２５が所与の期間内にＲＡＣＨ応答を受信しない、同一のプリアンブルを用いるＲＡＣＨアクセスの試行数が最大の限度に達する、または使用されるプリアンブルの数が最大の限度を上回る、といった場合に起こり得る。
したがって、ターゲットセル１２において決定された１つまたは複数のＵＬキャリア上でランダムアクセスが失敗したとき、ＵＥ１２５は、第１のＵＬキャリアが、失敗したランダムアクセスにおいて使用された、決定された１つまたは複数のＵＬキャリアであるときには、第２のＵＬキャリア上でランダムアクセスを開始すること（３０４ａ）と、第２のＵＬキャリアが、失敗したランダムアクセスにおいて使用された、決定された１つまたは複数のＵＬキャリアであるときには、第１のＵＬキャリア上でランダムアクセスを開始すること（３０４ｂ）とのいずれかについてランダムアクセスを開始する。
言い換えれば、ＵＥ１２５は、第１のＵＬキャリアが、失敗したランダムアクセスで使用された、決定された１つまたは複数のＵＬキャリアであるときには、第２のＵＬキャリア上でランダムアクセスを開始し（３０４ａ）、あるいは、第２のＵＬキャリアが、失敗したランダムアクセスで使用された、決定された１つまたは複数のＵＬキャリアであるときには、第１のＵＬキャリア上でランダムアクセスを開始する（３０４ｂ）。
【００３２】
次に、無線通信ネットワーク１００において、ＵＥ１２５と第２のネットワークノード１１２との間のたとえばランダムアクセス送信などのアップリンク（ＵＬ）送信を、たとえば管理するためおよび／または扱うために、第１のネットワークノード１１１によって遂行される方法の例示的実施形態を、図４に表現された流れ図を参照しながら説明する。第２のネットワークノード１１２が第１のＵＬキャリアおよび第２のＵＬキャリアを含むターゲットセル１２にサーブし、たとえば第１のネットワークノード１１１がソースセル１１においてＵＥ１２５にサーブする。いくつかの実施形態では、第１のキャリアは任意のＮＲ  ＵＬキャリアでよく、第２のＵＬキャリア１１２はＳＵＬキャリアでよい。
いくつかの関連した第１、第２、第３、第４、第５、および第６の実施形態が、この文献において後で説明される。
この方法は、任意の適切な順番で採用され得る以下のアクションのうちの１つまたは複数を含み得る。
【００３３】
つまり、この方法は以下のアクションのうちの１つまたは複数を含む。
アクション４０１において、ネットワークノード１１１は、ターゲットセル１２においてランダムアクセス用に使用される、ターゲットセル１２の１つまたは複数のＵＬキャリアを、たとえば決定するなどして取得し得る。１つまたは複数のＵＬキャリアは、第１のＵＬキャリアおよび第２のＵＬキャリアからの１つまたは複数に対応する。
アクション４０２において、ネットワークノード１１１は、ＵＥ１２５に、たとえば無線リソース制御（ＲＲＣ）シグナリングメッセージなどのメッセージを送り、メッセージは、ＵＥ１２５のターゲットセル１２へのハンドオーバに関するものであり、取得または決定されるなどのたとえばターゲットセル１２においてランダムアクセス用に使用される、ターゲットセル１２の決定された１つまたは複数のＵＬキャリアを指示する指示を含む。指示された１つまたは複数のＵＬキャリアは、第１のＵＬキャリアおよび第２のＵＬキャリアからの１つまたは複数に対応する。
【００３４】
より詳細には、この方法は以下のアクションのうち１つまたは複数を含む。以下のアクションは、方法のアクションの後の段落において、またさらに説明される。
【００３５】
アクション４０１
ネットワークノード１１１は、ターゲットセル１２においてランダムアクセス用に使用される、ターゲットセル１２の決定された１つまたは複数のＵＬキャリアを、たとえば取得し得る。１つまたは複数のＵＬキャリアは、第１のＵＬキャリアおよび第２のＵＬキャリアからの１つまたは複数に対応する。
これは、たとえば、第１のネットワークノード１１１もしくは第２のネットワークノード１１２または両方によって、２つのネットワークノードの間で、たとえばキャリアの無線チャネル品質測定、サービス品質（ＱｏＳ）要件、ハンドオーバ手順に関するレイテンシバジェットなどの情報を交換することにより、遂行され得る。一例では、第１のネットワークノード１１１などソースセル１１のネットワークノードは、たとえば第２のネットワークノード１１２といったターゲットセル１２のネットワークノードに、ソースノードがキャリア切換えについて決定した情報を請求する。別の例では、第２のネットワークノード１１２がキャリア切換えに関して決定し、選択されたキャリア上で第１のネットワークノード１１１にインジケータを送る。さらに別のノードにおいて、ノードのうちもう一つのノードがＵＬキャリアを選択し、別のノードがこの決定を変更してよい。
【００３６】
アクション４０２
ネットワークノード１１１は、ターゲットネットワークノード１１２に対するランダムアクセス用に使用するＵＬキャリアをＵＥ１２５に指示する。ネットワークノード１１１はＵＥ１２５にメッセージを送る。メッセージは、ＵＥ１２５のターゲットセル１２へのハンドオーバに関するものである。メッセージは、たとえば無線リソース制御（ＲＲＣ）シグナリングメッセージでよい。メッセージは、たとえば、ターゲットセル１２においてランダムアクセスのために使用される、ターゲットセル１２の決定された１つまたは複数のＵＬキャリアである、ターゲットセル１２においてランダムアクセスのために使用される、ターゲットセル１２の１つまたは複数のＵＬキャリアを指示する指示を含む。指示された１つまたは複数のＵＬキャリアは、第１のＵＬキャリアおよび第２のＵＬキャリアからの１つまたは複数に対応する。言い換えれば、指示された１つまたは複数のＵＬキャリアは、第１のＵＬキャリアおよび第２のＵＬキャリアからの１つまたは複数に対応する。
指示は、明示的と暗示的のいずれかで指示されてよい。すなわち、指示は明示的または暗示的に指示され得る。
【００３７】
第１の実施形態によれば、指示は、ターゲットセル１２における１つまたは複数のＵＬキャリアのキャリアインデックスおよびキャリアタイプのいずれかを指示してよい。すなわち、指示は、ターゲットセル１２における１つまたは複数のＵＬキャリアのキャリアインデックスまたはキャリアタイプを指示し得る。
第２の実施形態によれば、指示は、第１のＵＬキャリアと第２のＵＬキャリアの両方に適用可能な１つまたは２つのランダムアクセス設定を含み得る。このメッセージは、第１のＵＬキャリアに関するランダムアクセス設定を使用するべきときと、第２のＵＬキャリアに関するランダムアクセス設定を使用するべきときとのルールの指示をさらに含み得る。
【００３８】
次に、たとえば前述の第１、第２、第３、第４、第５および第６の実施形態などの本明細書の実施形態がさらに説明され、かつ例示される。以下のテキストは、前述のあらゆる適切な実施形態に適用可能であり、これらと組み合され得る。以下の実施形態では、第１のＵＬキャリア１１１の一例としてＮＲ  ＵＬキャリアが使用され、第２のＵＬキャリア１１２の一例としてＳＵＬキャリアが使用される。しかしながら、以下の例はまた、同一のセルに属する任意のＵＬキャリアに適用可能であり得る。さらに、メッセージの一例としてハンドオーバコマンドが使用される。
【００３９】
第１の実施形態
第１の実施形態では、指示はキャリアインデックスおよび／またはキャリアタイプによって表現され、明示的または暗示的に指示され得る。指示はたとえばメッセージに含まれてよく、メッセージは、たとえばＲＲＣ接続再設定メッセージといった、たとえばハンドオーバコマンドでよい。したがって、ＵＥ１２５は、ターゲットセル１２におけるランダムアクセス用のＵＬキャリアを選択する（決定すると言われることもある）。ＵＥ１２５にキャリアインデックスをシグナリングするやり方についてのいくつかの例があり得る。第１の例は、無競合ランダムアクセス（ＲＡ）に関する指示を含む情報を追加するためのやり方について詳述するように意図されており、第２の例は、競合ベースのＲＡに関する指示を含む情報を追加するためのやり方を詳述するように意図されている。第３の例は、キャリアについての指示を含む情報を暗示的にシグナリングするやり方についてさらに説明するものである。
第１の例では、ハンドオーバコマンドは、ここでは無競合ＲＡのためのＵＬキャリアのインデックスまたはタイプとしての指示を明示的に搬送してよい。そのため、ＲＲＣ  ＩＥにおいてキャリアインジケータ上の新規のフィールドが追加されてよく、これは、ＬＴＥ仕様におけるＲＡＣＨ−ＣｏｎｆｉｇＤｅｄｉｃａｔｅｄ  ＩＥなど専用の物理的ランダムアクセスチャネル（ＰＲＡＣＨ）設定をシグナリングするために使用される。ＵＥは、ＨＯコマンドを受信すると、指示されたＵＬキャリア上で無競合ランダムアクセスを遂行する。
2021503217.tif 000003
第２の例では、メッセージはハンドオーバコマンドであり、ここでは競合ベースのＲＡのためのＵＬキャリアについてのインデックスまたはタイプとしての指示を明示的に搬送する。キャリアインデックスは、ＬＴＥ仕様におけるＲＡＣＨ−ＣｏｎｆｉｇＤｅｄｉｃａｔｅｄ  ＩＥなど専用のＰＲＡＣＨ設定をシグナリングするために使用されるＲＲＣ情報要素（ＩＥ）には存在しなくてよい。代わりに、キャリアインデックスなどの指示は、ＬＴＥ仕様におけるｒａｃｈ−ＣｏｎｆｉｇＣｏｍｍｏｎ  ＩＥなど、競合ベースのＲＡ用に意図されたＩＥに追加されてよい。
第３の例では、キャリアインデックスおよび／またはタイプなどの明示的指示がハンドオーバコマンドなどのメッセージに追加されることなく、代わりに、暗示的指示が使用され、ＰＲＡＣＨリソースは、ハンドオーバ手順中に、周波数領域および時間領域において、ＲＡＣＨアクセスのためのＳＵＬキャリアとＮＲ  ＵＬキャリアとの間で分割される。このようにして、ＳＵＬキャリアに対していくつかのプリアンブルが割り当てられ、ＮＲ  ＵＬキャリアには他のプリアンブルが割り当てられる。同様に、ターゲットセル１２における時間領域のＲＡＣＨ送信機会は、ＳＵＬキャリアとＮＲ  ＵＬキャリアとの間で分割されてよい。時間領域におけるいくつかの位置がＳＵＬキャリアのために確保されており、残りの位置は、暗示的指示のために使用されるＮＲ  ＵＬキャリア用に使用される。ＵＥ１２５は、割り当てられたＰＲＡＣＨリソースを受信すると、ターゲットセルにおけるＲＡＣＨアクセスのために使用されるべきキャリアを見つけ出し、たとえば決定する。
【００４０】
第２の実施形態
第２の実施形態では、ハンドオーバコマンドにおける指示は、たとえばターゲットセル１２に関する１つのＲＡＣＨ／ＰＲＡＣＨ設定などの１つの設定しか含まず、これは、ＵＥ１２５が、ＳＵＬキャリアとＮＲ  ＵＬキャリアの両方においてＲＡＣＨアクセスを開始するために、この設定を使用し得ることを意味する。加えて、ハンドオーバコマンドは、ＲＡＣＨアクセスのための、ＲＳＲＰ／参照信号受信品質（ＲＳＲＱ）閾値などのＤＬ無線チャネル品質閾値など、ルールの指示を含み得る。測定されたＤＬチャネル品質が上記の閾値未満であれば、ＵＥ１２５はＲＡＣＨアクセス用にＳＵＬキャリアを使用してよく、そうでなければ、ＵＥ１２５はＮＲ  ＵＬキャリアを使用してよい。別の選択肢として、ハンドオーバコマンドは、ＤＬ無線チャネル品質に関する閾値を搬送しない。ハンドオーバコマンドが含むのは、ＳＵＬキャリアおよびＮＲ  ＵＬキャリア上でのＲＡＣＨアクセスの間の優先順位を含むルールの指示だけである。そこで、ＵＥ１２５は、優先順位に従って両方のキャリア上でのＲＡＣＨアクセスを別個に開始してよい。第２のＵＬキャリア上でのＲＡＣＨアクセスは第１のＵＬキャリア上でのＲＡＣＨアクセスが失敗してから開始されてよく、また、順番を逆にして、第１のＵＬキャリア上でのＲＡＣＨアクセスは第２のＵＬキャリア上でのＲＡＣＨアクセスが失敗してから開始されてよい。
【００４１】
第３の実施形態
第３の実施形態では、ハンドオーバコマンドにおける指示は、ターゲットセル１２に関する２つの別個のＲＡＣＨ／ＰＲＡＣＨ設定を含み、ＰＲＡＣＨ設定の一方はＳＵＬキャリアに関連づけられており、他方はＮＲ  ＵＬキャリアに関連づけられている。そこで、ＵＥ１２５は、最初に、ＳＵＬキャリアまたはＮＲ  ＵＬキャリアのいずれかである１つのキャリア上でＲＡＣＨアクセスを遂行してよい。ＵＥ１２５は、第１のＵＬキャリア上でのＲＡＣＨアクセスが失敗したら、第２のＵＬキャリア上でＲＡＣＨアクセスを開始する。ネットワークノード１１１などのネットワークは、ＵＥ１２５のための、ＲＡＣＨアクセス用の２つのＵＬキャリア間の優先順位を規定してよい。この実施形態では、ＵＥ１２５は、第２のＵＬキャリア上でＲＡＣＨアクセスを開始するのに、第１のＵＬキャリア上でのＲＡＣＨアクセスが失敗するのを待つ必要はない。
【００４２】
第４の実施形態
第４の実施形態では、ハンドオーバコマンドにおける指示が、ＵＥ１２５に、同一の目的の、すなわちターゲットセル１２にアクセスするための、２つのＲＡＣＨアクセスを開始するように命令するための情報を含み得、１つのＲＡＣＨアクセスはＳＵＬキャリア上で開始され、１つのＲＡＣＨアクセスはＮＲ  ＵＬキャリア上で開始される。２つのＲＡＣＨアクセス要求は、同時に、または２つの異なる時刻において、同一または異なるプリアンブルを用いて開始されてよい。このようにして、たとえば第２のネットワークノード１１２などのｇＮＢは、２つの要求のうち少なくとも１つのＲＡＣＨアクセス要求を識別し得る。
【００４３】
第５の実施形態
第５の実施形態では、第１のネットワークノード１１１などのネットワークは、ハンドオーバ測定メッセージの送信の後に、ハンドオーバコマンド用の応答ウィンドウを規定してよい。第１のネットワークノード１１１などのネットワークは、この応答ウィンドウの内部で、ＵＥ１２５に複数のハンドオーバコマンドメッセージを送り得る。この場合、１つのハンドオーバコマンドが、特定のキャリアに対応するものなど、ＳＵＬキャリアまたはＮＲ  ＵＬキャリアのいずれかを指示する。ＵＥ１２５は、ハンドオーバコマンドを受信すると、対応するキャリアなどの指示されたキャリア上でＲＡＣＨアクセスを遂行する。ハンドオーバコマンドメッセージとＵＬキャリアとの間のマッピングは、第１のネットワークノード１１１などのネットワークによって規定される。ＵＥ１２５が第１のハンドオーバコマンドを受信した際にＲＡＣＨアクセスに失敗したことが指示されたときには、第１のネットワークノード１１１などのネットワークは第２のハンドオーバコマンドを送る。
【００４４】
第６の実施形態
第６の実施形態では、ハンドオーバをトリガするための測定報告がＵＥ１２５に送信されたとき、ＵＥ１２５は、これらの実施形態では少なくとも近隣のＤＬキャリア（これらの測定結果は測定報告に含まれている）についての指示を含むシステム情報を読み取ってよい。たとえばＳＩＢ１といったシステム情報に含まれる指示は、ＵＥ１２５のハンドオーバに関して、ＲＡＣＨアクセスを遂行するために、ＳＵＬキャリアを使用するべきとき、およびＮＲ  ＵＬキャリアを使用するべきときについての基準および／または設定を含み得る。たとえば、ＵＥ１２５は、セル１２についてのダウンリンク測定が所与の閾値未満であればＳＵＬキャリアを使用し、そうでなければＮＲ  ＵＬキャリアを使用する。このようにして、ＵＥ１２５は、サービングセル１１を提供する第１のネットワークノード１１１からハンドオーバコマンドを受信すると、どのセルがターゲットサービングセル１２であるか決定して、ターゲットセル１２上でのＤＬ  ＲＳＲＰがたとえば所与の基準などのルールを満たすかどうかということを基に、ターゲットセル１２におけるＳＵＬキャリアまたはＮＲ  ＵＬキャリアをＲＡＣＨアクセスのために使用することをさらに決定する。
【００４５】
無線通信ネットワーク１００において、ＵＥ１２５と第２のネットワークノード１１２との間の、たとえばランダムアクセス送信などのＵＬ送信を、たとえば管理するためおよび／または扱うための方法のアクションを遂行するために、ＵＥ１２５は、図５に表現された機構を備え得る。ＵＥ１２５は、たとえば受信回路５１０、決定回路５２０、および始動回路５３０を備え得る。
無線通信ネットワーク１００において、ＵＥ１２５と第２のネットワークノード１１２との間の、たとえばランダムアクセス送信などのＵＬ送信を、たとえば管理するためおよび／または扱うための方法のアクションを遂行するために、ＵＥ１２５は、いくつかの実施形態では、受信モジュール５１０、決定モジュール５２０、および始動モジュール５３０を備え得る。当業者なら、前述のＵＥ１２５内のモジュールおよび回路は、アナログ回路とデジタル回路の組合せ、ならびに／あるいは、たとえばＵＥ１２５に記憶されたソフトウェアおよび／またはファームウェアを用いて設定された１つまたは複数のプロセッサを指し得ることも理解するであろう。ソフトウェアおよび／またはファームウェアは、前述のプロセッサなどそれぞれの１つまたは複数のプロセッサによって実行されたとき。これらのプロセッサのうち１つまたは複数、ならびに他のデジタルハードウェアは、単一の特定用途向けの集積回路設計（ＡＳＩＣ）に含まれてよく、あるいは、いくつかのプロセッサおよび様々なデジタルハードウェアが、個々にパッケージ化されるかまたはシステムオンチップ（ＳｏＣ）へと組み立てられて、いくつかの別個の構成要素の間に分配されてもよい。
ＵＥ１２５は、たとえばネットワークノード１１１と通信するように設定された入出力インターフェース５００を備え得る。入出力インターフェースは、無線受信器（図示せず）および無線送信器（図示せず）を備え得る。
ＵＥ１２５は、たとえばＵＥ１２５内の受信回路５１０または受信モジュール５１０によって、第１のネットワークノード１１０からメッセージを受信するように設定されている。メッセージは、ＵＥ１２５のターゲットセル１２へのハンドオーバに関するものである。メッセージは、ターゲットセル１２の１つまたは複数のＵＬキャリアを指示する指示を含むように適合されている。
【００４６】
ＵＥ１２５は、たとえばＵＥ１２５内の決定回路５２０または決定モジュール５２０によって、第１のＵＬキャリアおよび第２のＵＬキャリアから、指示された１つまたは複数のＵＬキャリアに対応する１つまたは複数を決定するようにさらに設定されている。決定された１つまたは複数のＵＬキャリアは、ターゲットセル１２におけるランダムアクセスに使用されるように適合されている。
【００４７】
いくつかの実施形態では、ＵＥ１２５は、たとえばＵＥ１２５内の始動回路５３０または始動モジュール５３０により、ターゲットセル１２において、決定された１つまたは複数のＵＬキャリア上でランダムアクセスを開始するようにさらに設定されてよい。
これらの実施形態では、ＵＥ１２５は、ターゲットセル１２において、決定された１つまたは複数のＵＬキャリア上でのランダムアクセスが失敗したときには、たとえばＵＥ１２５内の始動回路５３０または始動モジュール５３０によって、
第１のＵＬキャリアが、失敗したランダムアクセスにおいて使用された、決定された１つまたは複数のＵＬキャリアであるときには、第２のＵＬキャリア上でランダムアクセスを開始することと、
第２のＵＬキャリアが、失敗したランダムアクセスにおいて使用された、決定された１つまたは複数のＵＬキャリアであるときには、第１のＵＬキャリア上でランダムアクセスを開始することとのいずれかについてのランダムアクセスを開始するようにさらに設定されてよい。
【００４８】
本明細書の実施形態は、本明細書の実施形態の機能およびアクションを遂行するためのそれぞれのコンピュータプログラムコードとともに、図５に表現されたＵＥ１２５における処理サーキットリのプロセッサ５４０などそれぞれのプロセッサまたは１つまたは複数のプロセッサによって実施され得るものである。前述のプログラムコードは、たとえばＵＥ１２５にロードされたとき本明細書の実施形態を遂行するためのコンピュータプログラムコードを担持するデータキャリアの形態のコンピュータプログラム製品として提供され得る。そのようなキャリアの１つはＣＤ  ＲＯＭディスクの形態でよい。しかしながら、そのようなキャリアはメモリスティックなど他のデータキャリアで実現可能である。コンピュータプログラムコードは、さらに、サーバ上の純粋なプログラムコードとして提供され、ＵＥ１２５にダウンロードされ得る。
ＵＥ１２５は、１つまたは複数のメモリユニットを備えた記憶装置５５０をさらに備え得る。記憶装置はプロセッサによって実行可能な命令を含む。記憶装置は、たとえばデータ、設定、指示、およびＵＥ１２５において実行されたとき本明細書の方法を遂行するアプリケーションを記憶するために使用されるように構成されている。
いくつかの実施形態では、それぞれのコンピュータプログラム５６０が含む命令がＵＥ１２５のそれぞれの少なくとも１つのプロセッサによって実行されたとき、上記のアクションを遂行させる。
いくつかの実施形態では、それぞれのキャリア５７０がそれぞれのコンピュータプログラムを含み、キャリアは、電子信号、光信号、電磁気信号、磁気信号、電気信号、無線信号、マイクロ波信号、またはコンピュータ可読記憶媒体のうち１つである。
【００４９】
無線通信ネットワーク１００において、ＵＥ１２５と第２のネットワークノード１１２との間のたとえばランダムアクセス送信などのＵＬ送信を、たとえば管理するためおよび／または扱うための方法のアクションを遂行するために、第１のネットワークノード１１１は、図６に表現された機構を備え得る。ネットワークノード１１１は、たとえば取得回路６１０および送信回路６２０を備え得る。
無線通信ネットワーク１００において、ＵＥ１２５と第２のネットワークノード１１２との間の、たとえばランダムアクセス送信などのＵＬ送信をたとえば管理するためおよび／または扱うための方法のアクションを遂行するために、第１のネットワークノード１１１は、いくつかの実施形態では取得モジュール６１０および送信モジュール６２０を備え得る。
当業者なら、前述の第１のネットワークノード１１１におけるモジュールおよび回路は、アナログ回路とデジタル回路の組合せ、ならびに／あるいはたとえば第１のネットワークノード１１１に記憶されたソフトウェアおよび／またはファームウェアを用いて設定された１つまたは複数のプロセッサを指し得ることも理解するであろう。ソフトウェアおよび／またはファームウェアは、前述のプロセッサなどそれぞれの１つまたは複数のプロセッサによって実行されたとき。これらのプロセッサのうちの１つまたは複数、ならびに他のデジタルハードウェアは、単一の特定用途向け集積回路（ＡＳＩＣ）に含まれてよく、あるいは、いくつかのプロセッサおよび様々なデジタルハードウェアが、個々にパッケージ化されるかまたはシステムオンチップ（ＳｏＣ）へと組み立てられて、いくつかの別個の構成要素の間に分配されてもよい。
ネットワークノード１１１は、たとえばＵＥ１２５と通信するように設定された入出力インターフェース６００を備え得る。入出力インターフェースは、無線受信器（図示せず）および無線送信器（図示せず）を備え得る。
【００５０】
第１のネットワークノード１１１は、たとえば第１のネットワークノード１１１における取得回路６１０またはモジュール６１０によって、ターゲットセル１２におけるランダムアクセス用に使用されるターゲットセル１２の１つまたは複数のＵＬキャリアを、たとえば決定するなどして取得するようにさらに設定されてよく、１つまたは複数のＵＬキャリアは、第１のＵＬキャリアおよび第２のＵＬキャリアからの１つまたは複数に対応するものである。
【００５１】
第１のネットワークノード１１１は、たとえば第１のネットワークノード１１１における送信回路６２０または送信モジュール６２０によってＵＥ１２５にメッセージを送るように設定されている。メッセージは、ＵＥ１２５のターゲットセル１２へのハンドオーバに関するものである。メッセージは、ターゲットセル１２においてランダムアクセスのために使用される、ターゲットセル１２の１つまたは複数のＵＬキャリアを指示する指示を含むように適合されている。指示された１つまたは複数のＵＬキャリアは、第１のＵＬキャリアおよび第２のＵＬキャリアからの１つまたは複数に対応するように適合されている。
【００５２】
本明細書の実施形態は、本明細書の実施形態の機能およびアクションを遂行するためのそれぞれのコンピュータプログラムコードとともに、図６に表現された第１のネットワークノード１１１における処理サーキットリのプロセッサ６３０などそれぞれのプロセッサまたは１つまたは複数のプロセッサによって実施され得るものである。前述のプログラムコードは、たとえば第１のネットワークノード１１１にロードされたとき本明細書の実施形態を遂行するためのコンピュータプログラムコードを担持するデータキャリアの形態のコンピュータプログラム製品として提供され得る。そのようなキャリアの１つはＣＤ  ＲＯＭディスクの形態でよい。しかしながら、そのようなキャリアはメモリスティックなど他のデータキャリアで実現可能である。コンピュータプログラムコードは、さらに、サーバ上の純粋なプログラムコードとして提供され、第１のネットワークノード１１１にダウンロードされ得る。
第１のネットワークノード１１１は、１つまたは複数のメモリユニットを備えた記憶装置６４０をさらに備え得る。記憶装置は第１のネットワークノード１１１のプロセッサによって実行可能な命令を含む。記憶装置は、たとえばデータ、設定、指示、およびネットワークノード１１１において実行されたとき本明細書の方法を遂行するアプリケーションを記憶するために使用されるように構成されている。
いくつかの実施形態では、それぞれのコンピュータプログラム６５０が含む命令がそれぞれの少なくとも１つのプロセッサによって実行されたとき、ネットワークノード１１１の少なくとも１つのプロセッサに上記のアクションを遂行させる。
いくつかの実施形態では、それぞれのキャリア６６０がそれぞれのコンピュータプログラムを含み、キャリアは、電子信号、光信号、電磁気信号、磁気信号、電気信号、無線信号、マイクロ波信号、またはコンピュータ可読記憶媒体のうちの１つである。
【００５３】
１〜４４と番号づけされたいくつかの例示的実施形態が以下で説明される。
【００５４】
以下の実施形態は図２〜図６に関係するものである。
【００５５】
実施形態１。無線通信ネットワーク１００において、たとえばＵＥ１２５と第２のネットワークノード１１２との間のランダムアクセス送信などのアップリンク（ＵＬ）送信をたとえば管理するためおよび／または扱うために、ユーザ機器（ＵＥ）１２５によって遂行される方法であって、第２のネットワークノード１１２が、第１のＵＬキャリアおよび第２のＵＬキャリアを含むターゲットセル１２にサーブする、方法において、
第１のネットワークノード１１１から、たとえば無線リソース制御（ＲＲＣ）シグナリングメッセージなどのメッセージを受信すること（３０１）であって、メッセージが、ＵＥ１２５のターゲットセル１２へのハンドオーバに関するものであり、ターゲットセル１２の１つまたは複数のＵＬキャリアを指示する指示を含む、メッセージを受信すること（３０１）と、
第１のＵＬキャリアおよび第２のＵＬキャリアから、ターゲットセル１２におけるランダムアクセスのための、指示された１つまたは複数のＵＬキャリアに対応する１つまたは複数を決定すること（３０２）とを含む方法。
【００５６】
実施形態２。指示が明示的または暗示的に指示される、実施形態１に記載の方法。
【００５７】
実施形態３。第１のキャリアが新無線（ＮＲ）ＵＬキャリアであり、第２のＵＬキャリアが補助ＵＬ（ＳＵＬ）キャリアである、実施形態１または２に記載の方法。
【００５８】
実施形態４。指示が、ターゲットセル１２における１つまたは複数のＵＬキャリアのキャリアインデックスおよびキャリアタイプのいずれかを指示する、たとえば第１の実施形態など、実施形態１から３のいずれか１つに記載の方法。
【００５９】
実施形態５。指示が、第１のＵＬキャリアと第２のＵＬキャリアの両方に適用可能な１つのランダムアクセス設定を含み、メッセージが、第１のＵＬキャリアに関するランダムアクセス設定を使用するべきときと、第２のＵＬキャリアに関するランダムアクセス設定を使用するべきときとのルールの指示をさらに含む、たとえば第２の実施形態など、実施形態１から３のいずれか１つに記載の方法。
【００６０】
実施形態６。指示が２つの別個のランダムアクセス設定を含み、第１のランダムアクセス設定が第１のＵＬキャリアに適用可能であり、第２のランダムアクセス設定が第２のＵＬキャリアに適用可能であって、
メッセージが、少なくとも１つの第１のＵＬキャリアに関する第１のランダムアクセス設定を使用するべきときと、第２のＵＬキャリアに関する第２のランダムアクセス設定を使用するべきときとの、たとえば優先順位または閾値などのルールの指示をさらに含む、たとえば第３の実施形態など、実施形態１から３のいずれか１つに記載の方法。
【００６１】
実施形態７。指示が、ＵＥ１２５に、ターゲットセル１２にアクセスするための、たとえば２つのＲＡＣＨアクセスなど２つのランダムアクセスを開始させるための命令を含み、たとえば１つのＲＡＣＨアクセスなどの１つのランダムアクセスが第１のＵＬキャリア上のものであり、たとえば１つのＲＡＣＨアクセスなどの１つのランダムアクセスが第２のＵＬキャリア上のものである、たとえば第４の実施形態など、実施形態１から３のいずれか１つに記載の方法。
【００６２】
実施形態８。メッセージがハンドオーバコマンドであり、指示には、ハンドオーバコマンドが第１のＵＬキャリアおよび第２のＵＬキャリアからの１つまたは複数に対応することが含まれる、たとえば第５の実施形態など、実施形態１から３のいずれか１つに記載の方法。
【００６３】
実施形態９。指示が前記メッセージのシステム情報に含まれる、たとえば第６の実施形態など、実施形態１から３のいずれか１つに記載の方法。
【００６４】
実施形態１０。ターゲットセル１２において、決定された１つまたは複数のＵＬキャリア上でのランダムアクセスを開始すること（３０３）をさらに含む、実施形態１から９のいずれか１つに記載の方法。
【００６５】
実施形態１１。決定された１つまたは複数のＵＬキャリア上でのＲＡＣＨアクセスなどのランダムアクセスが、ターゲットセル１２において、たとえば、ＵＥが所与の期間内にＲＡＣＨ応答を受信しないか、または同一のプリアンブルを用いるＲＡＣＨアクセスの試行数が最大の限度を到達するか、または使用されたプリアンブルの数が上記の最大の限度を上回って、たとえば所定の要件を満たすことができなかったとき、
第１のＵＬキャリアが、失敗したランダムアクセスにおいて使用された、決定された１つまたは複数のＵＬキャリアであるときには、第２のＵＬキャリア上でランダムアクセスを開始すること（３０４）と、
第２のＵＬキャリアが、失敗したランダムアクセスにおいて使用された、決定された１つまたは複数のＵＬキャリアであるときには、第１のＵＬキャリア上でランダムアクセスを開始する（３０４）こととについてのランダムアクセスを開始することをさらに含む、実施形態１０に記載の方法。
【００６６】
実施形態１２。プロセッサによって実行されたとき、プロセッサに、実施形態１から９のいずれか１つに記載のアクションを遂行させる命令を含むコンピュータプログラム。
【００６７】
実施形態１３。実施形態１０のコンピュータプログラムを含むキャリアであって、電子信号、光信号、電磁気信号、磁気信号、電気信号、無線信号、マイクロ波信号、またはコンピュータ可読記憶媒体のうちの１つであるキャリア。
【００６８】
実施形態１４。無線通信ネットワーク１００において、たとえばＵＥ１２５と第２のネットワークノード１１２との間のランダムアクセス送信などのアップリンク（ＵＬ）送信をたとえば管理するためおよび／または扱うために、第１のネットワークノード１１１によって遂行される方法であって、第２のネットワークノード１１２が、第１のＵＬキャリアおよび第２のＵＬキャリアを含むターゲットセル１２にサーブし、たとえば第１のネットワークノード１１１がソースセル１１においてＵＥ１２５にサーブする、方法において、
たとえば、ターゲットセル１２においてランダムアクセス用に使用される、ターゲットセル１２の１つまたは複数のＵＬキャリアを、たとえば決定するなどして取得すること（４０１）であって、１つまたは複数のＵＬキャリアが、第１のＵＬキャリアおよび第２のＵＬキャリアからの１つまたは複数に対応する、１つまたは複数のＵＬキャリアを取得すること（４０１）と、
ＵＥ１２５に、たとえば無線リソース制御（ＲＲＣ）シグナリングメッセージなどのメッセージを送ること（４０２）であって、メッセージは、ＵＥ１２５のターゲットセル１２へのハンドオーバに関するものであり、取得または決定されるなどのたとえばターゲットセル１２においてランダムアクセス用に使用される、ターゲットセル１２の決定された１つまたは複数のＵＬキャリアを指示する指示を含み、指示された１つまたは複数のＵＬキャリアが、第１のＵＬキャリアおよび第２のＵＬキャリアからの１つまたは複数に対応する、メッセージを送ること（４０２）とを含む方法。
【００６９】
実施形態１５。指示が明示的または暗示的に指示される、実施形態１４に記載の方法。
【００７０】
実施形態１６。第１のキャリアが新無線（ＮＲ）ＵＬキャリアであり、第２のＵＬキャリアが補助ＵＬ（ＳＵＬ）キャリアである、実施形態１４または１５に記載の方法。
【００７１】
実施形態１７。指示が、ターゲットセル１２における１つまたは複数のＵＬキャリアのキャリアインデックスおよびキャリアタイプのいずれかを指示する、たとえば第１の実施形態など、実施形態１４から１６のいずれか１つに記載の方法。
【００７２】
実施形態１８。指示が、第１のＵＬキャリアと第２のＵＬキャリアの両方に適用可能な１つのランダムアクセス設定を含み、メッセージが、第１のＵＬキャリアに関するランダムアクセス設定を使用するべきときと、第２のＵＬキャリアに関するランダムアクセス設定を使用するべきときとのルールの指示をさらに含む、たとえば第２の実施形態など、実施形態１４から１６のいずれか１つに記載の方法。
【００７３】
実施形態１９。指示が２つの別個のランダムアクセス設定を含み、第１のランダムアクセス設定が第１のＵＬキャリアに適用可能であり、第２のランダムアクセス設定が第２のＵＬキャリアに適用可能であって、
メッセージが、少なくとも１つの第１のＵＬキャリアに関する第１のランダムアクセス設定を使用するべきときと、第２のＵＬキャリアに関する第２のランダムアクセス設定を使用するべきときとの、たとえば優先順位または閾値などのルールの指示をさらに含む、たとえば第３の実施形態など、実施形態１４から１６のいずれか１つに記載の方法。
【００７４】
実施形態２０。指示が、ＵＥ１２５に、ターゲットセル１２にアクセスするための、たとえば２つのＲＡＣＨアクセスなど２つのランダムアクセスを開始させる命令を含み、たとえば１つのＲＡＣＨアクセスなどの１つのランダムアクセスは第１のＵＬキャリア上のものであり、たとえば１つのＲＡＣＨアクセスなどの１つのランダムアクセスは第２のＵＬキャリア上のものである、たとえば第４の実施形態など、実施形態１４から１６のいずれか１つに記載の方法。
【００７５】
実施形態２１。メッセージがハンドオーバコマンドであり、指示には、ハンドオーバコマンドが第１のＵＬキャリアおよび第２のＵＬキャリアからの１つまたは複数に対応することが含まれる、たとえば第５の実施形態など、実施形態１４から１６のいずれか１つに記載の方法。
【００７６】
実施形態２２。指示が前記メッセージのシステム情報に含まれる、たとえば第６の実施形態など、実施形態１４から１６のいずれか１つに記載の方法。
【００７７】
実施形態２３。プロセッサによって実行されたとき、プロセッサに、実施形態１４から２４のいずれか１つに記載のアクションを遂行させる命令を含むコンピュータプログラム。
【００７８】
実施形態２４。実施形態２５に記載のコンピュータプログラムを含むキャリアであって、電子信号、光信号、電磁気信号、磁気信号、電気信号、無線信号、マイクロ波信号、またはコンピュータ可読記憶媒体のうち１つであるキャリア。
【００７９】
実施形態２５。たとえば無線通信ネットワーク１００においてユーザ機器（ＵＥ）１２５と第２のネットワークノード１１２との間のアップリンク（ＵＬ）送信を管理するためのＵＥ１２５であって、第２のネットワークノード１１２が、第１のＵＬキャリアおよび第２のＵＬキャリアを含むターゲットセル１２にサーブするように適合されており、ＵＥ１２５が、
第１のネットワークノード１１１から、ターゲットセル１２の１つまたは複数のＵＬキャリアを指示する指示を含むように適合された、ＵＥ１２５のターゲットセル１２へのハンドオーバに関するメッセージを受信して、
第１のＵＬキャリアおよび第２のＵＬキャリアから、ターゲットセル１２におけるランダムアクセスのために使用されるように適合された、指示された１つまたは複数のＵＬキャリアに対応する１つまたは複数を決定するように設定されているＵＥ１２５。
【００８０】
実施形態２６。指示が明示的または暗示的に指示されるように適合されている、実施形態２５に記載のＵＥ１２５。
【００８１】
実施形態２７。第１のキャリアが新無線（ＮＲ）ＵＬキャリアであるように適合されており、第２のＵＬキャリアが補助ＵＬ（ＳＵＬ）キャリアであるように適合されている、実施形態２５または２６に記載のＵＥ１２５。
【００８２】
実施形態２８。指示が、ターゲットセル１２における１つまたは複数のＵＬキャリアのキャリアインデックスおよびキャリアタイプのいずれかを指示するように適合されている、たとえば第１の実施形態など、実施形態２５から２７のいずれか１つに記載のＵＥ１２５。
【００８３】
実施形態２９。指示が、第１のＵＬキャリアと第２のＵＬキャリアの両方に適用可能な１つのランダムアクセス設定を含むように適合されており、メッセージが、第１のＵＬキャリアに関するランダムアクセス設定を使用するべきときと、第２のＵＬキャリアに関するランダムアクセス設定を使用するべきときとのルールの指示をさらに含むように適合されている、たとえば第２の実施形態など、実施形態２５から２７のいずれか１つに記載のＵＥ１２５。
【００８４】
実施形態３０。指示が２つの別個のランダムアクセス設定を含むように適合されており、第１のランダムアクセス設定が第１のＵＬキャリアに適用可能であるように適合されており、第２のランダムアクセス設定が第２のＵＬキャリアに適用可能であるように適合されており、
メッセージが、少なくとも１つの第１のＵＬキャリアに関する第１のランダムアクセス設定を使用するべきときと、第２のＵＬキャリアに関する第２のランダムアクセス設定を使用するべきときとのルールの指示を含むように適合されている、たとえば第３の実施形態など、実施形態２５から２７のいずれか１つに記載のＵＥ１２５。
【００８５】
実施形態３１。指示が、ＵＥ１２５に、ターゲットセル１２にアクセスするための、第１のＵＬキャリア上のランダムアクセスと第２のＵＬキャリア上のランダムアクセスとの２つのランダムアクセスを開始させる命令を含むように適合されている、たとえば第４の実施形態など、実施形態２５から２７のいずれか１つに記載のＵＥ１２５。
【００８６】
実施形態３２。メッセージが、ハンドオーバコマンドであるように適合されており、指示が、ハンドオーバコマンドが第１のＵＬキャリアおよび第２のＵＬキャリアからの１つまたは複数に対応することを含むように適合されている、たとえば第５の実施形態など、実施形態２５から２７のいずれか１つに記載のＵＥ１２５。
【００８７】
実施形態３３。指示が、前記メッセージのシステム情報に含まれるように適合されている、たとえば第６の実施形態など、実施形態２５から２７のいずれか１つに記載のＵＥ１２５。
【００８８】
実施形態３４。ターゲットセル１２において、決定された１つまたは複数のＵＬキャリア上でのランダムアクセスを開始するようにさらに設定されている、実施形態２５から３３のいずれか１つに記載のＵＥ１２５。
【００８９】
実施形態３５。ターゲットセル１２において、決定された１つまたは複数のＵＬキャリア上でのランダムアクセスが失敗したとき、
第１のＵＬキャリアが、失敗したランダムアクセスにおいて使用された、決定された１つまたは複数のＵＬキャリアであるときには、第２のＵＬキャリア上でランダムアクセスを開始することと、
第２のＵＬキャリアが、失敗したランダムアクセスにおいて使用された、決定された１つまたは複数のＵＬキャリアであるときには、第１のＵＬキャリア上でランダムアクセスを開始することとのいずれかについてのランダムアクセスを開始するようにさらに設定されている、実施形態３４に記載のＵＥ１２５。
【００９０】
実施形態３６。無線通信ネットワーク１００において、たとえばＵＥ１２５と第２のネットワークノード１１２との間のランダムアクセス送信などのアップリンク（ＵＬ）送信を管理するためおよび／または扱うための、第１のネットワークノード１１１であって、第２のネットワークノード１１２が、第１のＵＬキャリアおよび第２のＵＬキャリアを含むターゲットセル１２にサーブするように適合されており、第１のネットワークノード１１１が、
たとえば、ターゲットセル１２においてランダムアクセス用に使用される、ターゲットセル１２の１つまたは複数のＵＬキャリアを、たとえば決定するなどして取得することであって、１つまたは複数のＵＬキャリアが、第１のＵＬキャリアおよび第２のＵＬキャリアからの１つまたは複数に対応する、１つまたは複数のＵＬキャリアを取得することと、
ＵＥ１２５に、たとえば無線リソース制御（ＲＲＣ）シグナリングメッセージなどのメッセージを送ることであって、メッセージがＵＥ１２５のターゲットセル１２へのハンドオーバに関するものであり、メッセージが、取得または決定されるなどの、ターゲットセル１２においてランダムアクセス用に使用される、ターゲットセル１２の１つまたは複数のＵＬキャリアを指示する指示を含むように適合されており、指示された１つまたは複数のＵＬキャリアが、第１のＵＬキャリアおよび第２のＵＬキャリアからの１つまたは複数に対応するように適合されている、メッセージを送ることとを行うように設定されている、第１のネットワークノード１１１。
【００９１】
実施形態３７。指示が明示的または暗示的に指示されるように適合されている、実施形態３６に記載の第１のネットワークノード１１１。
【００９２】
実施形態３８。第１のキャリアが新無線（ＮＲ）ＵＬキャリアであるように適合されており、第２のＵＬキャリアが補助ＵＬ（ＳＵＬ）キャリアであるように適合されている、実施形態３６または３７に記載の第１のネットワークノード１１１。
【００９３】
実施形態３９。指示が、ターゲットセル１２における１つまたは複数のＵＬキャリアのキャリアインデックスおよびキャリアタイプのいずれかを指示するように適合されている、たとえば第１の実施形態など、実施形態３６から３８のいずれか１つに記載の第１のネットワークノード１１１。
【００９４】
実施形態４０。指示が、第１のＵＬキャリアと第２のＵＬキャリアの両方に適用可能な１つのランダムアクセス設定を含むように適合されており、メッセージが、第１のＵＬキャリアに関するランダムアクセス設定を使用するべきときと、第２のＵＬキャリアに関するランダムアクセス設定を使用するべきときとのルールの指示を含むようにさらに適合されている、たとえば第２の実施形態など、実施形態３６から３８のいずれか１つに記載の第１のネットワークノード１１１。
【００９５】
実施形態４１。指示が２つの別個のランダムアクセス設定を含むように適合されており、第１のランダムアクセス設定が第１のＵＬキャリアに適用可能であるように適合されており、第２のランダムアクセス設定が第２のＵＬキャリアに適用可能であるように適合されており、
メッセージが、少なくとも１つの第１のＵＬキャリアに関する第１のランダムアクセス設定を使用するべきときと、第２のＵＬキャリアに関する第２のランダムアクセス設定を使用するべきときとの、たとえば優先順位または閾値などのルールの指示を含むようにさらに適合されている、たとえば第３の実施形態など、実施形態３６から３８のいずれか１つに記載の第１のネットワークノード１１１。
【００９６】
実施形態４２。指示が、ＵＥ１２５に、ターゲットセル１２にアクセスするための、たとえば２つのＲＡＣＨアクセスなど２つのランダムアクセスを開始させる命令を含むように適合されており、たとえば１つのＲＡＣＨアクセスなどの１つのランダムアクセスは第１のＵＬキャリア上のものであり、たとえば１つのＲＡＣＨアクセスなどの１つのランダムアクセスは第２のＵＬキャリア上のものである、たとえば第４の実施形態など、実施形態３６から３８のいずれか１つに記載の第１のネットワークノード１１１。
【００９７】
実施形態４３。メッセージが、ハンドオーバコマンドであるように適合されており、指示が、ハンドオーバコマンドが第１のＵＬキャリアおよび第２のＵＬキャリアからの１つまたは複数に対応することを含むように適合されている、たとえば第５の実施形態など、実施形態３６から３８のいずれか１つに記載の第１のネットワークノード１１１。
【００９８】
実施形態４４。指示が、前記メッセージのシステム情報に含まれるように適合されている、たとえば第６の実施形態など、実施形態３６から３８のいずれか１つに記載の第１のネットワークノード１１１。
【００９９】
さらなる拡張および変形形態
図７を参照して、一実施形態によれば、通信システムが含む、たとえば３ＧＰＰタイプセルラーネットワークなどのＮＲネットワークといった無線通信ネットワーク１００などの電気通信ネットワーク３２１０は、無線アクセスネットワークなどのアクセスネットワーク３２１１およびコアネットワーク３２１４を含む。アクセスネットワーク３２１１には、第１のネットワークノード１１１など複数の基地局３２１２ａ、３２１２ｂ、３２１２ｃ、アクセスノード、ＡＰ  ＳＴＡ  ＮＢ、ｅＮＢ、ｇＮＢ、または他のタイプの無線アクセスポイント３２１３ａ、３２１３ｂ、３２１３ｃが備わっており、それぞれが、対応するカバレッジエリアを規定する。各基地局３２１２ａ、３２１２ｂ、３２１２ｃは、有線または無線の接続３２１５を通じてコアネットワーク３２１４に接続可能である。たとえばカバレッジエリア３２１３ｃに配置された非ＡＰ  ＳＴＡ  ３２９１などのＵＥ１２５といった第１のユーザ機器（ＵＥ）は、対応する基地局３２１２ｃに無線で接続するか、または基地局３２１２ｃによってページングされるように設定される。たとえばカバレッジエリア３２１３ａにおける非ＡＰ  ＳＴＡなどのＵＥ１２５といった第２のＵＥ３２９２は、対応する基地局３２１２ａに対して無線で接続可能である。この例では複数のＵＥ３２９１、３２９２が図示されているが、開示された実施形態は、カバレッジエリアにＵＥが単独である状況や、単独のＵＥが対応する基地局３２１２に接続されている状況にも同様に適用可能である。
電気通信ネットワーク３２１０自体がホストコンピュータ３２３０に接続されており、このことは、ハードウェアおよび／またはスタンドアロンのサーバ、クラウドで実施されたサーバ、分散型サーバのソフトウェア、もしくはサーバファームにおける処理リソースとして具現され得る。ホストコンピュータ３２３０は、サービスプロバイダに所有されるかもしくは制御されてよく、またはサービスプロバイダによって、もしくはサービスプロバイダのために運営されてよい。電気通信ネットワーク３２１０とホストコンピュータ３２３０との間の接続３２２１、３２２２は、コアネットワーク３２１４からホストコンピュータ３２３０に直接届いてよく、または任意選択の中間ネットワーク３２２０を介してもよい。中間ネットワーク３２２０は、パブリックネットワーク、プライベートネットワーク、ホスティングされたネットワークのうちの１つでよく、または２つ以上の組合せでもよく、存在する場合には、バックボーンネットワークまたはインターネットでよく、詳細には、２つ以上のサブネットワーク（図示せず）を備え得る。
全体としての図７の通信システムは、接続されたＵＥ３２９１、３２９２のうちの１つとホストコンピュータ３２３０との間の接続を可能にする。接続はオーバーザトップ（ＯＴＴ）接続３２５０として説明され得る。ホストコンピュータ３２３０および接続されたＵＥ３２９１、３２９２は、仲介物としてアクセスネットワーク３２１１、コアネットワーク３２１４、任意の中間ネットワーク３２２０および可能なさらなるインフラストラクチュア（図示せず）を使用して、ＯＴＴ接続３２５０を通じてデータおよび／またはシグナリングと通信するように設定されている。ＯＴＴ接続３２５０は、ＯＴＴ接続３２５０を通して関与する通信デバイスがアップリンク通信やダウンリンク通信のルーティングを認識しないという意味で透過的であり得る。たとえば、基地局３２１２は、接続されたＵＥ３２９１に転送される（たとえばハンドオーバされる）、ホストコンピュータ３２３０由来のデータを伴う入来ダウンリンク通信の過去のルーティングに関して通知されなくてよく、通知される必要もない。同様に、基地局３２１２は、ＵＥ３２９１由来の出力の、ホストコンピュータ３２３０へのアップリンク通信の将来のルーティングを認識する必要はない。
【０１００】
次に、前節において論じられた一実施形態によるＵＥ、基地局、およびホストコンピュータの例示の実装形態が、図８を参照しながら説明される。通信システム３３００において、ホストコンピュータ３３１０が備えるハードウェア３３１５に含まれる通信インターフェース３３１６は、通信システム３３００の異なる通信デバイスのインターフェースとの有線または無線の接続をセットアップして維持するように設定されている。ホストコンピュータ３３１０がさらに備える処理サーキットリ３３１８は、記憶能力および／または処理能力を有し得る。詳細には、処理サーキットリ３３１８は、命令を実行するように適合された１つまたは複数のプログラマブルプロセッサ、特定用途向け集積回路、フィールドプログラマブルゲートアレイまたはこれらの組合せ（図示せず）を備え得る。ホストコンピュータ３３１０がさらに含むソフトウェア３３１１は、ホストコンピュータ３３１０による記憶またはアクセスが可能であり、処理サーキットリ３３１８によって実行可能である。ソフトウェア３３１１はホストアプリケーション３３１２を含む。ホストアプリケーション３３１２は、ＵＥ３３３０およびホストコンピュータ３３１０において終結するＯＴＴ接続３３５０を介して接続するＵＥ３３３０などの遠隔ユーザにサービスを提供するように動作可能であり得る。遠隔ユーザにサービスを提供する際に、ホストアプリケーション３３１２は、ＯＴＴ接続３３５０を使用して送信されるユーザデータを供給してよい。
【０１０１】
通信システム３３００がさらに備える基地局３３２０は、電気通信システムに用意され、ホストコンピュータ３３１０およびＵＥ３３３０との通信を可能にするハードウェア３３２５を備える。ハードウェア３３２５は、通信システム３３００の異なる通信デバイスのインターフェースとの有線または無線の接続をセットアップして維持するための通信インターフェース３３２６、ならびに、少なくとも基地局３３２０によってサーブされたカバレッジエリア（図８には示されていない）にあるＵＥ３３３０との無線接続３３７０をセットアップして維持するための無線インターフェース３３２７を含み得る。通信インターフェース３３２６は、ホストコンピュータ３３１０に対する接続３３６０を容易にするように設定されてよい。接続３３６０は直接的でよく、あるいは、電気通信システムのコアネットワーク（図８には示されていない）および／または電気通信システムの外部の１つまたは複数の中間のネットワークを介してもよい。示された実施形態では、基地局３３２０のハードウェア３３２５がさらに含む処理サーキットリ３３２８は、命令を実行するように適合された、１つまたは複数のプログラマブルプロセッサ、特定用途向け集積回路、フィールドプログラマブルゲートアレイまたはこれらの組合せ（図示せず）を備え得る。基地局３３２０がさらに有するソフトウェア３３２１は、内部に記憶されるかまたは外部接続を介してアクセスされ得る。
通信システム３３００は、既に言及されたＵＥ３３３０をさらに備える。ＵＥ３３３０のハードウェア３３３５が含み得る無線インターフェース３３３７は、ＵＥ３３３０が今のところ位置するカバレッジエリアをサーブしている基地局との無線接続３３７０をセットアップして維持するように設定されている。ＵＥ３３３０のハードウェア３３３５がさらに含む処理サーキットリ３３３８は、命令を実行するように適合された１つまたは複数のプログラマブルプロセッサ、特定用途向け集積回路、フィールドプログラマブルゲートアレイまたはこれらの組合せ（図示せず）を備え得る。ＵＥ３３３０がさらに含むソフトウェア３３３１は、ＵＥ３３３０による記憶またはアクセスが可能であり、処理サーキットリ３３３８によって実行可能である。ソフトウェア３３３１はクライアントアプリケーション３３３２を含む。クライアントアプリケーション３３３２は、ホストコンピュータ３３１０の支援の下に、ＵＥ３３３０を介して、人間または人間以外のユーザにサービスを提供するように動作可能であり得る。ホストコンピュータ３３１０において実行中のホストアプリケーション３３１２は、ＵＥ３３３０およびホストコンピュータ３３１０において終結するＯＴＴ接続３３５０を介して、実行中のクライアントアプリケーション３３３２と通信し得る。クライアントアプリケーション３３３２は、ユーザにサービスを提供する際に、ホストアプリケーション３３１２から要求データを受信し、要求データに応答してユーザデータを供給してよい。ＯＴＴ接続３３５０は、要求データとユーザデータの両方を転送し得る。クライアントアプリケーション３３３２は、ユーザと相互作用して、供給するユーザデータを生成し得る。図８に図示されたホストコンピュータ３３１０、基地局３３２０およびＵＥ３３３０は、それぞれ図７のホストコンピュータ３２３０、基地局３２１２ａ、３２１２ｂ、３２１２ｃのうちの１つ、およびＵＥ３２９１、３２９２のうちの１つと同一でよいことが注意される。つまり、これらのエンティティの内部作用は図８に示された通りでよく、独立して、周囲のネットワークトポロジは図７のものでよい。
【０１０２】
図８において、ＯＴＴ接続３３５０は、基地局３３２０を介したホストコンピュータ３３１０とユーザ機器３３３０との間の通信を、いかなる中間デバイスも、これらのデバイスを介したメッセージの正確なルーティングも、明示的に参照することなく抽象的に図示するものである。ネットワークインフラストラクチャは、ネットワークインフラストラクチャの設定が、ＵＥ３３３０、またはホストコンピュータ３３１０を運営するサービスプロバイダ、または両方から隠すように設定され得るルーティングを判定してよい。ＯＴＴ接続３３５０がアクティブである間に、ネットワークインフラストラクチャは（たとえばネットワークのロードバランシングの検討または再設定を基に）ルーティングを動的に変更することをさらに決定してよい。
【０１０３】
ＵＥ３３３０と基地局３３２０との間の無線接続３３７０は、本開示の全体にわたって説明された実施形態の教示によるものである。様々な実施形態のうちの１つまたは複数が、最後のセグメントが無線接続３３７０で形成されているＯＴＴ接続３３５０を使用してＵＥ３３３０に提供されるＯＴＴサービスの性能を改善する。より正確には、これらの実施形態の教示は、データレート、レイテンシ、および電力消費を改善することにより、ユーザ待ち時間、ファイルサイズに対する制限の緩和、応答性の改善、バッテリ寿命の延長などの利益を提供するものである。
【０１０４】
データレート、レイテンシならびに１つまたは複数の実施形態が改善する他の要因を監視するための測定手順が提供され得る。測定結果の変化に応答してホストコンピュータ３３１０とＵＥ３３３０との間のＯＴＴ接続３３５０を再設定するための任意選択のネットワーク機能がさらにあってよい。ＯＴＴ接続３３５０を再設定するための測定手順および／またはネットワーク機能は、ホストコンピュータ３３１０のソフトウェア３３３１、またはＵＥ３３３０のソフトウェア３３１１、または両方で実施されてよい。実施形態では、センサ（図示せず）が、ＯＴＴ接続３３５０を通す通信デバイスの中に、または同デバイスに関連して配備されてよく、センサは、上記の例の監視された量の値または他の物理量の値を供給することによって測定手順に関与してよく、ソフトウェア３３１１、３３３１は、これらの値から、監視された量を計算するかまたは推定してよい。ＯＴＴ接続３３５０の再設定は、メッセージフォーマット、再送信セッティング、望ましいルーティングなどを含み得、再設定は、基地局３３２０に影響を及ぼす必要はなく、基地局３３２０が分からない、または感知できないものでよい。そのような手順および機能性は、当技術において既知の実施され得るものである。ある特定の実施形態では、測定は専用のＵＥシグナリングを包含し得、ホストコンピュータ３３１０の測定のスループット、伝播時間、レイテンシなどを容易にする。実施され得る測定では、ソフトウェア３３１１、３３３１が、伝播時間、エラーなどを監視しながら、ＯＴＴ接続３３５０を使用して、メッセージ、詳細には空すなわち「ダミー」のメッセージを送信する。
【０１０５】
図９は、一実施形態による、通信システムにおいて実施される方法を図示する流れ図である。通信システムは、ホストコンピュータ、ＡＰ  ＳＴＡなどの基地局、および非ＡＰ  ＳＴＡなどのＵＥを含み、これらは図７および図８を参照しながら説明されたものでよい。本開示の簡単さのために、この段落で参照されるのは図９のみである。この方法の第１のアクション３４１０において、ホストコンピュータはユーザデータを供給する。第１のアクション３４１０の任意選択のサブアクション３４１１において、ホストコンピュータは、ホストアプリケーションを実行することによってユーザデータを供給する。第２のアクション３４２０において、ホストコンピュータは、ユーザデータをＵＥに搬送する送信を開始する。本開示の全体にわたって説明された実施形態の教示により、任意選択の第３のアクション３４３０において、基地局は、ホストコンピュータが開始した送信において搬送されたユーザデータをＵＥに送信する。任意選択の第４のアクション３４４０において、ＵＥは、ホストコンピュータによって実行されるホストアプリケーションに関連したクライアントアプリケーションを実行する。
【０１０６】
図１０は、一実施形態による、通信システムにおいて実施される方法を図示する流れ図である。通信システムは、ホストコンピュータ、ＡＰ  ＳＴＡなどの基地局、および非ＡＰ  ＳＴＡなどのＵＥを含み、これらは図７および図８を参照しながら説明されたものでよい。本開示の簡単さのために、この段落で参照されるのは図１０のみである。この方法の第１のアクション３５１０において、ホストコンピュータはユーザデータを供給する。任意選択のサブアクション（図示せず）において、ホストコンピュータは、ホストアプリケーションを実行することによってユーザデータを供給する。第２のアクション３５２０において、ホストコンピュータは、ユーザデータをＵＥに搬送する送信を開始する。送信は、本開示を通じて説明された実施形態の教示により、基地局を介したものでよい。任意選択の第３のアクション３５３０において、ＵＥは、送信で搬送されたユーザデータを受信する。
【０１０７】
図１１は、一実施形態による、通信システムにおいて実施される方法を図示する流れ図である。通信システムは、ホストコンピュータ、ＡＰ  ＳＴＡなどの基地局、および非ＡＰ  ＳＴＡなどのＵＥを含み、これらは図７および図８を参照しながら説明されたものでよい。本開示の簡単さのために、この段落で参照されるのは図１１のみである。この方法の任意選択の第１のアクション３６１０において、ＵＥは、ホストコンピュータによって供給された入力データを受信する。それに加えて、またはその代わりに、ＵＥは、任意選択の第２のアクション３６２０においてユーザデータを供給する。第２のアクション３６２０の任意選択のサブアクション３６２１において、ＵＥは、クライアントアプリケーションを実行することによってユーザデータを供給する。第１のアクション３６１０のさらなる任意選択のサブアクション３６１１において、ＵＥは、ホストコンピュータによって供給された受信入力データに反応してユーザデータを供給するクライアントアプリケーションを実行する。実行されるクライアントアプリケーションは、ユーザデータを供給するとき、ユーザから受け取ったユーザ入力をさらに考慮に入れてよい。ユーザデータが供給された特定のやり方に関係なく、ＵＥは、任意選択の第３のサブアクション３６３０において、ホストコンピュータへのユーザデータの送信を開始する。この方法の第４のアクション３６４０において、本開示の全体にわたって説明された実施形態の教示により、ホストコンピュータはＵＥから送信されたユーザデータを受信する。
【０１０８】
図１２は、一実施形態による、通信システムにおいて実施される方法を図示する流れ図である。通信システムは、ホストコンピュータ、ＡＰ  ＳＴＡなどの基地局、および非ＡＰ  ＳＴＡなどのＵＥを含み、これらは図７および図８を参照しながら説明されたものでよい。本開示の簡単さのために、この段落で参照されるのは図１２のみである。この方法の任意選択の第１のアクション３７１０において、本開示の全体にわたって説明された実施形態の教示により、基地局はＵＥからユーザデータを受信する。任意選択の第２のアクション３７２０において、基地局は、受信したユーザデータのホストコンピュータへの送信を開始する。第３のアクション３７３０において、ホストコンピュータは、基地局が開始した送信で搬送されたユーザデータを受信する。
【０１０９】
「備える」または「備えている」という語を使用するとき、非限定的に解釈されるものとし、すなわち「少なくとも〜から成る」を意味する。
【０１１０】
本明細書の実施形態は、前述の望ましい実施形態に限定されない。様々な代替形態、修正形態および均等物が使用され得る。
【図１】
2021503217.tif 000004
【図２】
2021503217.tif 000005
【図３】
2021503217.tif 000006
【図４】
2021503217.tif 000007
【図５】
2021503217.tif 000008
【図６】
2021503217.tif 000009
【図７】
2021503217.tif 000010
【図８】
2021503217.tif 000011
【図９】
2021503217.tif 000012
【図１０】
2021503217.tif 000013
【図１１】
2021503217.tif 000014
【図１２】
2021503217.tif 000015
【手続補正書】
【提出日】令和1年6月28日(2019.6.28)
【手続補正１】
【補正対象書類名】特許請求の範囲
【補正対象項目名】全文
【補正方法】変更
【補正の内容】
【特許請求の範囲】
【請求項１】
新無線（ＮＲ）無線通信ネットワーク（１００）においてユーザ機器（ＵＥ）（１２５）と第２のネットワークノード（１１２）との間のアップリンク（ＵＬ）送信を管理するために前記ＵＥ（１２５）によって遂行される方法であって、前記第２のネットワークノード（１１２）が、新無線（ＮＲ）アップリンクキャリアである第１のＵＬキャリアおよび補助アップリンク（ＳＵＬ）キャリアである第２のＵＬキャリアを含むターゲットセル（１２）にサーブする、方法において、
第１のネットワークノード（１１０）からメッセージを受信すること（３０１）であって、前記メッセージが、前記ターゲットセル（１２）への前記ＵＥ（１２５）のハンドオーバに関するものであり、前記メッセージが、前記ターゲットセル（１２）へのハンドオーバにおけるランダムアクセスのために使用される前記第１および第２のＵＬキャリアのうち１つまたは複数を指示する指示を含む、メッセージを受信すること（３０１）と、
前記ターゲットセル（１２）において、前記指示された１つまたは複数のＵＬキャリア上でのランダムアクセスを開始すること（３０３）とを含む方法。
【請求項２】
前記指示が明示的または暗示的に指示される、請求項１に記載の方法。
【請求項３】
前記指示が、前記ターゲットセル（１２）における前記１つまたは複数のＵＬキャリアのキャリアインデックスおよびキャリアタイプのいずれかを指示する、請求項１または２に記載の方法。
【請求項４】
前記指示が、前記第１のＵＬキャリアと前記第２のＵＬキャリアの両方に適用可能な１つまたは２つのランダムアクセス設定を含み、前記メッセージが、前記第１のＵＬキャリアに関する前記ランダムアクセス設定を使用するべきときと、前記第２のＵＬキャリアに関する前記ランダムアクセス設定を使用するべきときとのルールの指示をさらに含む、請求項１から３のいずれか一項に記載の方法。
【請求項５】
前記ターゲットセル（１２）において、前記指示された１つまたは複数のＵＬキャリア上での前記ランダムアクセスが失敗したとき、
前記第１のＵＬキャリアが、前記失敗したランダムアクセスにおいて使用された、前記指示された１つまたは複数のＵＬキャリアであるときには、前記第２のＵＬキャリア上でランダムアクセスを開始すること（３０４）と、
前記第２のＵＬキャリアが、前記失敗したランダムアクセスにおいて使用された、前記指示された１つまたは複数のＵＬキャリアであるときには、前記第１のＵＬキャリア上でランダムアクセスを開始すること（３０４）とのいずれかについてのランダムアクセスを開始すること（３０４）をさらに含む、請求項４に記載の方法。
【請求項６】
命令を含むコンピュータプログラム（５６０）であって、前記命令が、プロセッサ（５４０）によって実行されたとき、ユーザ機器（１２５）に、請求項１から５のいずれか一項に記載のステップを遂行させる、コンピュータプログラム（５６０）。
【請求項７】
請求項６に記載のコンピュータプログラム（５６０）を含むキャリア（５７０）であって、電子信号、光信号、電磁気信号、磁気信号、電気信号、無線信号、マイクロ波信号、またはコンピュータ可読記憶媒体のうちの１つであるキャリア（５７０）。
【請求項８】
新無線（ＮＲ）無線通信ネットワーク（１００）において、ＵＥ（１２５）と第２のネットワークノード（１１２）との間のアップリンク（ＵＬ）送信を管理するために第１のネットワークノード（１１１）によって遂行される方法であって、前記第２のネットワークノード（１１２）が、新無線（ＮＲ）アップリンクキャリアである第１のＵＬキャリアおよび補助アップリンク（ＳＵＬ）キャリアである第２のＵＬキャリアを含むターゲットセル（１２）にサーブする、方法において、
前記ＵＥ（１２５）にメッセージを送ること（４０２）であって、前記メッセージが、前記ＵＥ（１２５）の前記ターゲットセル（１２）へのハンドオーバに関するものであって、前記メッセージが、前記ターゲットセル（１２）へのハンドオーバにおいて前記ＵＥ（１２５）によってランダムアクセスのために使用される前記第１および第２のＵＬキャリアのうち１つまたは複数を指示する指示を含む、メッセージを送ること（４０２）を含む方法。
【請求項９】
前記指示が明示的または暗示的に指示される、請求項８に記載の方法。
【請求項１０】
前記指示が、前記ターゲットセル（１２）における前記１つまたは複数のＵＬキャリアのキャリアインデックスおよびキャリアタイプのいずれかを指示する、請求項８または９に記載の方法。
【請求項１１】
前記指示が、前記第１のＵＬキャリアと前記第２のＵＬキャリアの両方に適用可能な１つまたは２つのランダムアクセス設定を含み、前記メッセージが、前記第１のＵＬキャリアに関する前記ランダムアクセス設定を使用するべきときと、前記第２のＵＬキャリアに関する前記ランダムアクセス設定を使用するべきときとのルールの指示をさらに含む、請求項８から１０のいずれか一項に記載の方法。
【請求項１２】
命令を含むコンピュータプログラム（５６０）であって、前記命令が、プロセッサによって実行された（５４０）とき、第１のネットワークノード（１１１）に、請求項８から１１のいずれか一項に記載のステップを遂行させる、コンピュータプログラム（５６０）。
【請求項１３】
請求項１２に記載のコンピュータプログラム（５６０）を含むキャリア（５７０）であって、電子信号、光信号、電磁気信号、磁気信号、電気信号、無線信号、マイクロ波信号、またはコンピュータ可読記憶媒体のうちの１つであるキャリア（５７０）。
【請求項１４】
新無線（ＮＲ）無線通信ネットワーク（１００）においてユーザ機器（ＵＥ）（１２５）と第２のネットワークノード（１１２）との間のアップリンク（ＵＬ）送信を管理するためのＵＥ（１２５）であって、前記第２のネットワークノード（１１２）が、新無線（ＮＲ）アップリンクキャリアである第１のＵＬキャリアおよび補助アップリンク（ＳＵＬ）キャリアである第２のＵＬキャリアを含むターゲットセル（１２）にサーブするように適合されており、前記ＵＥ（１２５）が、
第１のネットワークノード（１１０）からメッセージを受信することであって、前記メッセージが、前記ＵＥ（１２５）の前記ターゲットセル（１２）へのハンドオーバに関するものであって、前記メッセージが、前記ターゲットセル（１２）へのハンドオーバにおいてランダムアクセスのために使用される前記第１および第２のＵＬキャリアのうち１つまたは複数を指示する指示を含むように適合されている、メッセージを受信することと、
前記ターゲットセル（１２）において、前記指示された１つまたは複数のＵＬキャリア上でのランダムアクセスを開始することとを行うように設定されているＵＥ（１２５）。
【請求項１５】
前記指示が明示的または暗示的に指示されるように適合されている、請求項１４に記載のＵＥ（１２５）。
【請求項１６】
前記指示が、前記ターゲットセル（１２）における前記１つまたは複数のＵＬキャリアのキャリアインデックスおよびキャリアタイプのいずれかを指示するように適合されている、請求項１４または１５に記載のＵＥ（１２５）。
【請求項１７】
前記指示が、前記第１のＵＬキャリアと前記第２のＵＬキャリアの両方に適用可能な１つまたは２つのランダムアクセス設定を含むように適合されており、前記メッセージが、前記第１のＵＬキャリアに関する前記ランダムアクセス設定を使用するべきときと、前記第２のＵＬキャリアに関する前記ランダムアクセス設定を使用するべきときとのルールの指示をさらに含むように適合されている、請求項１４から１６のいずれか一項に記載のＵＥ（１２５）。
【請求項１８】
前記ターゲットセル（１２）において、前記指示された１つまたは複数のＵＬキャリア上での前記ランダムアクセスが失敗したとき、
前記第１のＵＬキャリアが、前記失敗したランダムアクセスにおいて使用された、前記指示された１つまたは複数のＵＬキャリアであるときには、前記第２のＵＬキャリア上でランダムアクセスを開始することと、
前記第２のＵＬキャリアが、前記失敗したランダムアクセスにおいて使用された、前記指示された１つまたは複数のＵＬキャリアであるときには、前記第１のＵＬキャリア上でランダムアクセスを開始することとのいずれかについてのランダムアクセスを開始するようにさらに設定されている、請求項１７に記載のＵＥ（１２５）。
【請求項１９】
新無線（ＮＲ）無線通信ネットワーク（１００）において、ＵＥ（１２５）と第２のネットワークノード（１１２）との間のアップリンク（ＵＬ）送信を管理するための第１のネットワークノード（１１１）であって、前記第２のネットワークノード（１１２）が、新無線（ＮＲ）アップリンクキャリアである第１のＵＬキャリアおよび補助アップリンク（ＳＵＬ）キャリアである第２のＵＬキャリアを含むターゲットセル（１２）にサーブするように適合されており、前記第１のネットワークノード（１１１）が、
前記ＵＥ（１２５）にメッセージを送ることであって、前記メッセージが、前記ＵＥ（１２５）の前記ターゲットセル（１２）へのハンドオーバに関するものであって、前記メッセージが、前記ターゲットセル（１２）へのハンドオーバにおいて前記ＵＥ（１２５）によってランダムアクセスのために使用される前記第１および第２のＵＬキャリアのうち１つまたは複数を指示する指示を含むように適合されている、メッセージを送ることを行うように設定されている第１のネットワークノード（１１１）。
【請求項２０】
前記指示が明示的または暗示的に指示されるように適合されている、請求項１９に記載の第１のネットワークノード（１１１）。
【請求項２１】
前記指示が、前記ターゲットセル（１２）における前記１つまたは複数のＵＬキャリアのキャリアインデックスおよびキャリアタイプのいずれかを指示するように適合されている、請求項１９または２０に記載の第１のネットワークノード（１１１）。
【請求項２２】
前記指示が、前記第１のＵＬキャリアと前記第２のＵＬキャリアの両方に適用可能な１つまたは２つのランダムアクセス設定を含むように適合されており、前記メッセージが、前記第１のＵＬキャリアに関する前記ランダムアクセス設定を使用するべきときと、前記第２のＵＬキャリアに関する前記ランダムアクセス設定を使用するべきときとのルールの指示を含むようにさらに適合されている、請求項１９から２１のいずれか一項に記載の第１のネットワークノード（１１１）。
【国際調査報告】
2021503217.tif 000016
2021503217.tif 000017
2021503217.tif 000018
2021503217.tif 000019